(57)【要約】移転システムは、第１および第２の縦方向区分を伴う空気支承式支持体を含む。ポートが、第１および第２の縦方向区分と流動連通するように提供され、患者または他者の身体の移転のための空気支承式支持体の膨張のために構成される。選択的結合部が、第１および第２の縦方向区分間に延び、空気支承式支持体上での身体の移転のために、第１および第２の区分を一緒に取り付け、例えば、移転が遂行された後の患者支持体の収縮時の分離および除去のために、少なくとも部分的に第１および第２の縦方向区分を切り離すように適合されている。
2020534965.tif 000002
【特許請求の範囲】
【請求項１】
移転システムであって、前記移転システムは、
第１および第２の縦方向区分を有する空気支承式支持体と、
前記第１および第２の縦方向区分と流動連通しているポートであって、前記ポートは、前記空気支承式支持体の上での身体の移転のための前記空気支承式支持体の膨張のために構成されている、ポートと、
前記第１および第２の縦方向区分間に延びている選択的結合部と
を備え、
前記選択的結合部は、前記空気支承式支持体上での前記身体の移転のために、前記第１の縦方向区分と第２の縦方向区分とを一緒に取り付け、前記第１の縦方向区分と第２の縦方向区分との分離および除去のために、少なくとも部分的に前記第１の縦方向区分と第２の縦方向区分とを切り離すように構成され、
前記選択的結合部は、前記空気支承式支持体の近位端から前記空気支承式支持体の遠位端に向かって前記縦方向区分間に延びている選択的に解放可能な継ぎ目を備え、前記解放可能継ぎ目は、前記近位端において縦方向区分を切り離し、前記縦方向区分を前記近位端から前記遠位端に向かって分離するように構成されている、移転システム。
【請求項３】
前記解放可能継ぎ目は、前記空気支承式支持体の膨張時の前記身体の移転のために、前記縦方向区分の取り付けを維持し、前記空気支承式支持体の収縮および手動力の適用時、前記近位端において前記縦方向区分を切り離すように構成されている、請求項２に記載の移転システム。
【請求項４】
前記選択的結合部は、前記近位端における前記縦方向区分の切り離し、前記解放可能継ぎ目に沿った前記身体の反対側への前記縦方向区分の分離、および、さらなる実質的な操作なしの前記身体の下からの前記空気支承式支持体の除去のために構成されている、請求項２に記載の移転システム。
【請求項５】
前記ポートは、外部空気供給源のための入口結合部を備え、前記外部空気供給源は、前記空気支承式支持体の膨張のために構成され、前記移転システムは、前記入口結合部に取り付けられた空気ホースをさらに備え、前記空気ホースは、前記移転システムの単回使用用途において、気流を前記外部空気供給源から前記空気支承式支持体に向けるために適合されている、請求項１に記載の移転システム。
【請求項６】
前記空気ホースは、前記気流を向けるために適合された折り畳み可能流動区分を備え、前記折り畳み可能流動区分は、前記空気支承式支持体と組み合わせた実質的に平坦な保管、および、前記空気支承式支持体の膨張のための前記空気支承式支持体からの延長のために構成されている、請求項５に記載の移転システム。
【請求項７】
前記第１および第２の縦方向区分の一方または両方内に配置された複数のバッフルをさらに備え、前記バッフルは、前記空気支承式支持体の底部表面と上部表面との間に垂直に延び、前記空気支承式支持体の膨張時の構造完全性を提供する、請求項１に記載の移転システム。
【請求項８】
前記空気支承式支持体の底部表面上に配置された複数の流動開口をさらに備え、前記複数の開口は、前記空気支承式支持体と、１つ以上の表面との間の気流のために構成され、前記身体の移転は、前記１つ以上の表面をまたいで遂行される、請求項１に記載の移転システム。
【請求項９】
装置であって、前記装置は、
横方向区分を有する空気支承式患者支持体であって、第１および第２の縦方向区分が、前記横方向区分から延びている、空気支承式患者支持体と、
前記横方向区分を介して前記第１および第２の縦方向区分と流動連通しているポートであって、前記ポートは、前記空気支承式患者支持体の上部表面上での患者の移転のための前記空気支承式患者支持体の膨張のために構成されている、ポートと、
前記空気支承式患者支持体の底部表面上に配置された複数の流動開口であって、前記複数の流動開口は、前記移転中の前記空気支承式患者支持体の内部からの気流のために構成されている、複数の流動開口と、
前記空気支承式支持体の近位端から前記空気支承式支持体の遠位端に向かって前記第１および第２の縦方向区分間に延びている選択的に係合される継ぎ目と
を備え、
前記選択的に係合される継ぎ目は、前記空気支承式支持体上の膨張時の前記患者の移転のために、前記縦方向区分の取り付けを維持し、前記空気支承式支持体の収縮時の分離および除去のために、前記近位端において縦方向区分を選択的に切り離すように構成されている、装置。
【請求項１０】
前記選択的に係合される継ぎ目は、胴体領域のさらなる操作なしの前記患者の反対側への前記縦方向区分の除去のためにさらに構成されている、請求項９に記載の装置。
【請求項１１】
前記選択的に係合される継ぎ目は、異なる構成要素としての前記縦方向区分の完全な分離および除去のために、前記空気支承式患者支持体の十分な長さにわたって前記第１および第２の縦方向区分間に延びている請求項１０に記載の装置。
【請求項１２】
前記選択的に係合される継ぎ目は、前記空気支承式患者支持体の横方向区分まで延び、前記横方向区分は、一体としての一緒の除去のために、前記縦方向区分を接合している、請求項１０に記載の装置。
【請求項１３】
前記選択的に係合される継ぎ目は、前記第１および第２の縦方向区分間に延びている前記選択的に係合される継ぎ目をまたいだ前記空気支承式患者支持体の実質的に連続した上部表面を画定するように適合されている、請求項９に記載の装置。
【請求項１４】
前記第１および第２の縦方向区分の一方または両方内で横方向に延びている複数のバッフルをさらに備え、前記バッフルは、前記空気支承式患者支持体の底部表面と上部表面との間に垂直に延び、前記空気支承式患者支持体の膨張時の縦方向気流を可能にするように構成されている、請求項９に記載の装置。
【請求項１５】
第１および第２のパネルをさらに備え、前記第１および第２のパネルは、それぞれ、前記空気支承式患者支持体の上部および底部表面を画定し、前記第１および第２のパネルは、前記第１および第２の縦方向区分を画定するための周辺の付近で接合され、前記選択的に係合される継ぎ目は、前記第１および第２の縦方向区分間に延びている、請求項９に記載の装置。
【請求項１６】
前記周辺は、前記選択的に係合される継ぎ目のための解放特徴を画定し、前記解放特徴は、横方向力に応答した前記周辺における前記選択的に係合される継ぎ目の分離による前記第１および第２の縦方向区分の切り離しのために適合されている、請求項１５に記載の装置。
【請求項１７】
方法であって、前記方法は、
選択的に係合される継ぎ目に沿って取り付けられた第１および第２の縦方向区分を有する空気支承式支持体上に身体を配置することと、
前記第１および第２の縦方向区分と流動連通しているポートを介して前記空気支承式支持体を膨張させることであって、前記身体は、前記空気支承式支持体の上部表面上に支持されている、ことと、
少なくとも部分的に気流によって支持された１つ以上の表面をまたいで前記身体を移すことであって、前記気流は、前記上部表面と反対側の前記空気支承式支持体の底部表面上の複数の開口を通して向けられている、ことと、
前記空気支承式支持体の近位端において前記縦方向区分を切り離すことと、
前記選択的に係合される継ぎ目に沿って、前記縦方向区分を前記空気支承式支持体の近位端から前記空気支承式支持体の遠位端に向かって分離することと、
さらなる操作なしに前記縦方向区分を前記身体の反対側に除去することと
を含む、方法。
【請求項１８】
前記身体の頭部領域を前記空気支承式支持体の前記近位端上またはそれに隣接して支持することと、前記身体の胴体領域を前記近位端と遠位端との間に画定された前記空気支承式支持体の中間領域において支持することとをさらに含み、前記空気支承式支持体は、前記身体を前記１つ以上の表面をまたいで移すために膨張させられている、請求項１７に記載の方法。
【請求項１９】
さらなる操作なしに前記空気支承式支持体を前記身体の前記胴体領域の下から除去することをさらに含み、前記空気支承式支持体は、前記身体を前記１つ以上の表面をまたいで移した後、収縮させられる、請求項１８に記載の方法。
【請求項２０】
前記縦方向区分を分離することは、前記縦方向区分を前記近位端から前記空気支承式支持体の遠位端まで分離することを含み、前記縦方向区分を除去することは、前記第１および第２の縦方向区分を異なる完全に分離された構成要素として除去することを含む、請求項１７に記載の方法。
【請求項２１】
前記縦方向区分を分離することは、前記縦方向区分を前記近位端から前記空気支承式支持体の側方区分まで分離することを含み、前記縦方向区分を除去することは、前記横方向区分によって一緒に接合された前記第１および第２の縦方向区分を除去することを含む、請求項１７に記載の方法。
【請求項２２】
１つ以上の表面をまたいで前記身体を移すと、前記空気支承式支持体を収縮させることをさらに含む、請求項１７に記載の方法。
【請求項２３】
前記空気支承式支持体を膨張させること、前記身体を移すこと、および前記空気支承式支持体を収縮させることは、前記縦方向区分を分離し、除去することに先立って、反復的に実施される、請求項２２に記載の方法。
【発明の詳細な説明】
【技術分野】
【０００１】
本開示は、概して、病院および臨床環境ならびに他の医療または患者処置設定における患者搬送に関する。特に、本開示は、患者を１つの表面から別の表面に、例えば、手術室、または、検査、実験室、治療、または回復場所において、ベッド間またはストレッチャー間で移すための患者移転システムに関する。
【背景技術】
【０００２】
病院の日々の業務では、患者は、１つの表面から別の表面に頻繁に移動させられる。多くの事例では、患者は、歩行可能ではなく、看護および／または医療スタッフの補助を伴って、ストレッチャーを介して移動させられる。例えば、患者が外科手術を受けるとき、歩行可能患者でさえ、業務上、および／または、麻酔の影響に起因して、歩行不能として扱われ得る。
【０００３】
歩行不能患者は、典型的に、患者を新しいエリアに移動させる必要性が存在するときはいつでも、ストレッチャーを介して移動させられる。例えば、外科手術後、看護および／または医療スタッフは、典型的に、手術屋から回復室に搬送するために、患者をストレッチャーに移す。概して、患者は、回復室に居る間、ストレッチャー上に留まる。回復時、患者は、ストレッチャー上で病室に移動させられる。病室に入ると、患者は、看護および／または医療スタッフによって、ストレッチャーから病院用ベッドに移動させられる。
【０００４】
患者を移動させるために使用されるいくつかの従来技術デバイスが、米国特許第４，５２８，７０４号（特許文献１）、第５，４８３，７０９号、第６，０７３，２９１号、第７，００７，３３０号、第７，４１５，７３８号、第７，５７４，７６１号、および第９，３１４，３８８号、ならびに米国特許公開第２００３／０１５９２１２、２００５／００７６４３７号、第２０１３／００４２４１４号、および第２０１６／０３６７４２２号（それぞれ、参照することによって本明細書に組み込まれる）に開示されている。本開示は、これらの従来技術デバイスの改良および／または代替を提供するデバイスを開示する。
【先行技術文献】
【特許文献】
【０００５】
【特許文献１】米国特許第４，５２８，７０４号明細書
【発明の概要】
【課題を解決するための手段】
【０００６】
本明細書に説明される種々の実施例および実施形態は、病院の手術室、ならびに他の臨床、実験室、検査、治療、搬送、および回復環境において、表面間、例えば、ベッド、ストレッチャー、または他の場所間で患者もしくは他者の身体を移すための膨張可能患者移転システムに関する。
【図面の簡単な説明】
【０００７】
【図１Ａ】図１Ａは、本開示の種々の実施形態による空気支承式患者移転システムの斜視図である。
【０００８】
【図１Ｂ】図１Ｂは、代替実施形態における患者移転システムの平面図である。
【０００９】
【図２】図２は、患者移転システムの底面図である。
【００１０】
【図３Ａ】図３Ａは、部分的に分離された構成における患者移転システムの斜視図である。
【００１１】
【図３Ｂ】図３Ｂは、患者移転システムの代替斜視図である。
【００１２】
【図４Ａ】図４Ａは、除去可能移転シートを伴う患者移転システムの側面図である。
【００１３】
【図４Ｂ】図４Ｂは、患者移転システムおよび除去可能移転シートの端面図である。
【００１４】
【図５Ａ】図５Ａは、頭部および胴体領域内の患者移転システムの平面図である。
【００１５】
【図５Ｂ】図５Ｂは、内部構造を示す患者移転システムの斜視断面図である。
【００１６】
【図６Ａ】図６Ａは、患者移転システムのための流動結合部の斜視図である。
【００１７】
【図６Ｂ】図６Ｂは、患者移転システムのための流動結合アダプタの斜視図である。
【００１８】
【図６Ｃ】図６Ｃは、代替流動結合アダプタの斜視図である。
【００１９】
【図７】図７は、患者移転システムの側面断面図である。
【００２０】
【図８Ａ】図８Ａは、縦方向バッフルを伴う患者移転システムの斜視図である。
【００２１】
【図８Ｂ】図８Ｂは、図８Ａのシステムのための空気支承式患者支持体の分解図である。
【００２２】
【図９Ａ】図は、ストラップを伴う患者移転システムの斜視図である。
【００２３】
【図９Ｂ】図９Ｂは、図９Ａの患者移転システムの代替斜視図である。
【００２４】
【図１０Ａ】図１０Ａは、分離可能継ぎ目を示す図９Ａの患者移転システムの平面図である。
【００２５】
【図１０Ｂ】図１０Ｂは、図１０Ａの継ぎ目の拡大図である。
【００２６】
【図１１Ａ】図１１Ａは、内部構造を示す図９Ａの患者移転システムの断面図である。
【００２７】
【図１１Ｂ】図１１Ｂは、代替内部構造を示す図９Ａの患者移転システムの断面図である。
【００２８】
【図１１Ｃ】図１１Ｃは、代替内部構造を示す図９Ａの患者移転システムの断面図である。
【００２９】
【図１２Ａ】図１２Ａは、ポートの中に挿入されるホースアダプタを示す図９Ａの患者移転システムの斜視図である。
【００３０】
【図１２Ｂ】図１２Ｂは、図１２Ａのホースアダプタおよびポートの部分分解図である。
【発明を実施するための形態】
【００３１】
図１Ａは、空気支承式の膨張可能患者搬送システム１００の斜視図である。図１Ａに示されるように、患者移転システム１００は、膨張可能な空気支承式支持装置またはデバイス１０１を含み、デバイス１０１は、軸方向分割またはスリット１０２を有し、スリット１０２は、解放可能継ぎ目１１８に沿って一緒に結合された２つの切り離し可能縦方向区分１０４および１０６を画定し、解放可能継ぎ目１１８は、デバイス１０１の近位または頭部領域１０８から、中央胴体領域１１０および下肢または脚部領域１１２を通して、足領域１１３に向かって延びている。
【００３２】
患者移転システム１００は、患者を１つの側方表面から別の側方表面に移動させるように、かつ、移転後の追加の回転操作または患者の身体への他の外乱の必要なしに患者の下から容易に除去可能であるように設計される。例えば、膨張可能デバイス１０１は、医療手技を開始する前、収縮状態において、患者の下に設置されることができ、手技が完了した後、デバイス１０１が、介護者による患者の胴体の回転または他の実質的な物理的な操作なしに、患者が上部表面１３０上（例えば、境界１３４内の中心部分１３２において）に配置された状態で膨張させられ得る。空気送風機（高容量空気送風機等）を使用して、システム１００は、１つ以上のポートまたは入口１４６を介して、十分な気流を提供されることもでき、したがって、空気支承式患者支持体１０１は、浮遊し、少なくとも部分的に加圧された空気のベッドで支持され、加圧された空気は、底部側の小孔を通して逃れることにより、摩擦を低減させ、患者を移動させるために要求される低減させられたまたは最小限の力を可能にする。
【００３３】
患者は、調節可能結合部１２６を伴う１つ以上のストラップ１２２を使用して、患者支持体１０１にストラップで固定されることができ、患者は、例えば、１つ以上のハンドル１４０、１４２を使用して、患者支持体１０１を移転面に沿って（または１つの表面から別の表面上に）スライドさせることによって、移される。患者移転が完了した後、システム１００は、収縮させられ、患者支持体１０１は、例えば、除去タブまたはハンドル１４０を使用して、デバイス１０１を反対方向に引き離し、中心または正中線軸Ａに沿って支持体１０１の主要本体部分を２つの別個の縦方向区分１０４および１０６に分割することによって、患者の下から除去される。
【００３４】
患者の頭部領域１０８から開始し、胴体領域１１０から下腿領域１１２に向かって移動することで、患者支持体１０１の縦方向区分１０４、１０６は、最大の重量および質量のエリアである患者の胴体領域１１０の下から各側で容易に剥がれる。いくつかの実施形態では、縦方向区分１０４、１０６は、例えば、足領域１１３において、側方区分１１４によって接続されたままである。使用後、システム１００は、安全、衛生、外科廃棄のための地方規制当局および病院プロトコルに準拠して廃棄され得る。
【００３５】
従来の膨張可能「浮遊式」移転デバイスは、概して、デバイスを患者の下から除去するために、患者操作を要求する。対照的に、患者移転システム１００は、患者支持体１０１の一意の設計および構造に起因して、除去のために、追加の患者操作を要求せず、システム１００が、空気支承式患者支持体１０１をその中心または軸Ａに沿って分離することによって、除去されることを可能にする。
【００３６】
図１Ｂは、代替患者移転システム１００の平面図である。機械縫製構造プロセスを使用して織物材料から製造され得る図１Ａの実施形態と対照的に、図１Ｂの患者移転システム１００は、溶接されたポリマーシート設計から形成されることができる。このプロセスでは、患者支持体１０１の上部および底部層は、一緒に「打ち抜かれる」か、または、一方を他方の上に配置し、周辺１２５において一緒に溶接され、膨張可能空気支承式患者支持体１０１を画定する。好適な溶接プロセスは、限定ではないが、熱溶接、化学溶接、および高周波（ＲＦ）溶接方法を含む。追加の溶接が、患者支持体１４１の一端または両端上の内部バッフルおよび延長されたハンドル構造１４１等の追加の特徴とともに、ハンドル１４０およびタブ１４２等の他の特徴を画定するために、または取り付けるために使用されることができる。
【００３７】
用途に応じて、穿孔された縦方向継ぎ目１１８が、移転プロセス中、軸方向分離１０２をまたいで縦方向区分１０４、１０６を一緒に固定し、移転後、区分１０４、１０６を分離するための解放点または解放機構として機能するために使用されることができる。この構成は、「空気マットレス」アセンブリまたは患者支持体デバイス１０１を異なる材料、例えば、患者支持体１０１の縫製された構造において想定されるような布地ウェブまたは織物材料から形成される中間の引き裂き表面によって接合される２つの別個の区分を伴う分割されたユニットの使用とは対照的に、実質的に連続し、一体型または同種（均一）材料から形成される実質的に単一のユニットとして提供する。
【００３８】
膨張可能患者支持体１０１を画定するシステム１００の空気保持および圧力シール特徴は、穿孔された継ぎ目１１８のいずれかの側１０４、１０６で縦方向に延びている１つ以上の内部バッフル１６０を含み得る。患者支持体１０１を膨張させられたエリアを通して穿孔することは、空気損失および早期分離を生じさせ得るが、上で説明されるように、小空気支承式流動開口が底部表面上に形成されることができ、穿孔された継ぎ目１１８は、内圧を縦方向区分１０４、１０６内に維持するために、圧力シールを各穿孔の周辺付近に形成するために十分な幅を伴って画定されることができる。空気支承式デバイス１１０の溶接された実質的に一体型の製造は、従来のデバイスと比較して、システム重量および製造コストも実質的に低減させ得る。
【００３９】
図２は、例えば、図１Ａに示されるような機械で縫製された構造における患者移転システム１００の底部斜視図である。図２に示される特徴はまた、例えば、図１Ｂに示されるような溶接されたポリマー構造にも等しく好適である。
【００４０】
膨張可能患者移転システム１００は、患者の身体を膨張させられた患者支持体１０１上に支持し、患者の体重を底部表面１５０の上により均一に分散させ、摩擦を低減させ、患者移転を促進するように構成される。図２に示されるように、支持体１０１の底部表面１５０は、複数の小開口、穿孔、または孔１５２も含み得、それは、膨張させられたベッドまたは患者支持体１０１の内側の空気が制御された様式で逃れることを可能にするように構成されることにより、底部表面１５０の下を流動する空気のクッションを提供する。
【００４１】
設計に応じて、患者が患者支持体１０１上に横たわっている間、システム１００を移動させるために、十分な気流が、孔または開口１５２を通して発生させられ、少なくとも部分的に底部表面１５０を支持し、移転面との摩擦接触を低減させることができる。特定の用途では、気流は、患者支持体１０１が、底部表面１５０の一部または実質的に全部に沿って、移転面の上で浮遊するように十分であり得る。より一般的に、患者支持体１０１は、患者移転をより容易かつ効率的にもたらすために、体重再分配、気流、および底部表面１５０における低減させられた摩擦材料の組み合わせを利用するように適合されることができる。
【００４２】
例えば、いくつかの小開口１５２が、底部表面１５０の中央部分内に配置される、コアエリア１５４内に形成され得、コアエリア１５４は、患者移転中、空気の耐体重層をコアエリア１５４の下方に作成し、システム１００を支持するために、デバイス１０１の周縁の周りに延びている低減させられた摩擦境界エリア１５６に対して凹所に置かれ得る。より一般的に、気流は、少なくとも部分的にデバイス１０１の底部表面１５０のいずれかまたは全てを支持し、システム１００を移転面に沿ってまたは１つの移転面から別の移転面に（例えば、手術台、検査台、またはその上で医療手技が実施される他の表面、患者搬送のためのベッドまたはストレッチャー間、もしくは任意のそのような表面に沿って、またはそれらの間で）スライドさせることを促進するために十分であり得る。
【００４３】
図３Ａは、縦方向区分１０２および１０４が患者支持体１０１の近位（頭部）領域１０８内で取り外されている部分的に分離された構成における患者移転システム１００の斜視図である。図３Ｂは、例えば、図１Ｂの実質的に一体型の材料実施形態における患者移転システム１００の代替斜視図である。
【００４４】
図３Ａおよび３Ｂに示されるように、患者移転システム１００は、患者支持体１０１の中央に沿って延びている割れ目または裂け目１０２を含む。裂け目１０２は、典型的に、支持体１０１を２つの別個の概して対称の半区分１０４および１０６に分割するために、患者支持体１０１の縦方向寸法に沿って、例えば、図３に示されるように、患者支持体１０１の縦軸Ａによって画定される中心線または正中線に沿って縦方向に延びている。代替として、裂け目１０２は、正中線Ａに沿って画定される必要はなく、他の斜めおよび非対称割れ目も、想定される。
【００４５】
裂け目１０２は、概して、患者の胴体および他のより重い部分が、２つの縦方向区分１０４、１０６を分割する裂け目１０２の上方に配置されるように、膨張可能患者移転支持体１０１の長さの少なくとも一部または大部分に沿って延びている。図３Ａおよび３Ｂに図示されるように、例えば、裂け目１０２は、支持装置１０１の頭部領域または近位部分１０８（患者の頭部を支持するように構成される）、胴体領域または中央部分１１０（患者の胴体または肩／背中／臀部領域を支持するように構成される）、および下半身または脚部部分１１２の少なくとも一部（患者の下肢または脚部を支持するように構成される）を通して延びている。
【００４６】
患者の頭部、肩、背中、臀部、および患者の脚部の少なくとも一部は、したがって、分割される縦方向区分１０４および１０６を分割する裂け目１０２をまたいで装置１０１の上部表面１３０上に支持されことができる。裂け目１０２および継ぎ目構造１１８は、支持体１０１の遠位端区分１１２、１１３における無影響（分割されていない）横方向区分１１４で終端し得、遠位端区分１１２、１１３は、患者の足、ある場合、患者の脚部の下側部分等の患者の総質量がより小さいエリアを支持するように構成される。
【００４７】
患者移転システム１００が、収縮させられた後、支持ベッドまたはデバイス１０１の分割された区分１０４および１０６は、分割された区分１０４、１０６を患者の最も重い部分（患者の頭部、胴体、肩、背中、臀部等、および可能性として、少なくとも患者の脚部の上側部分まで延びている）の下から除去するために、医療スタッフまたは他の介護者によって、互いから側方に分離されることができる。次いで、患者支持体１０１の遠位端１１３における無影響横方向区分１１４は、例えば、横方向区分１１４を軸Ａに沿って外にスライドさせることによって、実質的により少ない身体質量の領域である患者の足の下から容易に除去されることができる。
【００４８】
代替として、裂け目１０２および継ぎ目構造１１８は、（患者の頭部における）近位領域１０８から、中央（胴体）領域１１０を通して、かつ遠位領域１０２（下肢）および１０３（足）を通して延び得る。これらの構成では、継ぎ目１１８は、患者支持体１０１の全長に沿って完全に分離され、患者の下で両側からの除去のために、縦方向区分１０４、１０６を２つの別個の部分または半体に分割されたままに残すことができる。用途に応じて、継ぎ目１１８は、横方向区分１１４を通して延び、区分１１４を縦方向区分１０４、１０６を伴う部分に分離し得るか、または、横方向区分１１４は、存在せず、流動ポートまたは開口が、継ぎ目構造１１８を横断して提供され、縦方向区分１０４、１０６間の連通流動を提供し得る（図７参照）。
【００４９】
したがって、膨張可能患者移転システム１００は、追加の胴体操作または患者への他の外乱を殆どもしくは全く伴わずに、患者の下から除去されることができる。例えば、膨張可能移転システム１００は、既存の膨張可能移転デバイスによって要求されるように、患者を側面から側面へと回転させる必要なく、患者の下から除去されることができる。
【００５０】
図３Ａおよび３Ｂにさらに図示されるように、膨張可能患者移転システム１００は、膨張および移転中、患者のための連続支持表面１３０を提供するように設計される、例えば、解放可能継ぎ目または細片１１８の形態における選択的に係合される結合部を含む。解放可能継ぎ目１１８は、２つの縦方向区分１０４と１０６との間に画定された裂け目１０２をまたいで患者の頭部および／または中央区分を支持し、移転プロセス中、実質的に連続した上部表面１３０を提供し、患者を支持し、不快感を回避する。継ぎ目１１８は、互いからの縦方向区分１０４、１０６の選択的分離を制御するようにも適合され得る。例えば、継ぎ目１１８は、患者移転のために膨張させられている間、少なくとも部分的に２つの区分１０４、１０６を一緒に保持し、移転プロセスが完了後、区分１０４、１０６を分離するために必要とされる力の量を制御するように構成され得る。
【００５１】
より一般的に、膨張可能移転システム１００の解放可能継ぎ目または細片１１８は、解放可能継ぎ目または細片１１８が、患者支持体デバイス１０１が膨張させられている間、および患者移転プロセス中、引っ張り力（または類似横方向力もしくは緊張負荷）下では分離しないであろうように、構成されることができる。逆に言えば、解放可能継ぎ目または細片１１８は、例えば、患者支持体１０１が収縮させられたときの方向性の力（例えば、継ぎ目または細片１１８に対して実質的に横方向、または患者支持体１０１の平面に対して実質的に横方向または垂直（直交）の垂直成分を伴う方向性の力）の下で降伏する方向性継ぎ目材料を使用して、患者支持体１０１が収縮させられたときの力の下で降伏し、分離するように構成されることができる。
【００５２】
継ぎ目１１８は、種々の好適な材料から作製され、種々の方法を使用して、裂け目１０２に沿って、システム１００に取り付けられ、これらの特性を達成し得る。いくつかの実施形態では、例えば、解放可能継ぎ目１１８は、選択的に係合される結合部のために適合された非粘着性糊、フックおよびループ（例えば、ＶＥＬＣＲＯ（登録商標））留め具システム、またはポリマー、セルロース、織物、もしくは引き裂き細片材料等の解放可能接着剤または機械的取り付け特徴を備え、解放可能接着剤または機械的取り付け特徴は、システム１００が膨張させられ、患者がデバイス１０１上に支持されているとき、区分１０４、１０６を接触関係に維持するために十分に強固であり、かつ、看護スタッフ、医療スタッフ、または他の介護者による移転後、裂け目区分１０４、１０６が互いから容易に引き離されることを可能にする。
【００５３】
解放可能継ぎ目１１８は、割れ目または裂け目１０２の長さの一部または全部に沿って延び得る。継ぎ目１１８は、示されるように、患者支持体１０１の上側および下側表面１３０および１５０の一方または両方に沿って露出され、可視であり得る。裂け目１０２が患者支持体１０１の全長に延びている実施形態では、継ぎ目１１８は、患者を支持するために、一時的に、区分１０４、１０６を一緒に接合するか、またはそれらを取り付け得る。解放可能継ぎ目１１８は、方向性分離継ぎ目または無間隙分離継ぎ目、または、類似の選択的に解放可能な取り付け機構として構成され得る。
【００５４】
膨張可能患者移転システム１００は、患者を支持装置１０１に固定するための固定特徴を含み得る。例えば、システム１００は、患者を支持体１０１の上部１３０に固定するための１つ以上の調節可能ストラップ１２２を含み得る。ストラップはまた、患者支持体１０１の膨張中および患者移転手技中、支持装置１０１に対する患者の整列および位置付けを維持し得る。既存の移転デバイスは、概して、硬質プラスチックまたは金属バックルを使用するが、それらは、ある条件下で、不快感を患者にまたはオペレータに生じさせ得る。対照的に、ストラップ１２２は、強度および患者快適性のために、かつオペレータ（例えば、看護士および医療スタッフまたは他の介護者）による使い易さのために適合された可撓性織物から形成され得る。
【００５５】
ストラップ１２２が、移転中、患者を膨張可能支持体１０１に固定するために使用され得る。例えば、第１のストラップ１２２は、患者を患者支持体１０１の上部表面１３０に固定するために、患者の胸部または胴体領域の周囲に巻き付くように構成されることができ、第２のストラップ１２２は、患者の下腿領域の周囲に巻き付くように構成される。第１のストラップ１２２の一端は、支持体１０１の中央または胴体領域１１０内の第１の縦方向区分１０４に取り付けられ、第１のストラップ１２２の他端は、患者の身体をまたいで第２の縦方向区分１０６の中央または胴体領域１１０に取り付けられる。同様に、第２のストラップ１２２の一端は、下半身または脚部領域１１２内の第１の区分１０４に取り付けられ、第２のストラップ１２２の他端は、患者の下半身または脚部をまたいで第２の区分１０６の下半身領域１１２に取り付けられる。
【００５６】
ストラップ１２２は、患者を移転システム１００に固定するために、ストラップ１２２を患者の周囲で締め付けるための調節可能バックルまたは結合部１２６を含む。ストラップ１２２の各々は、ストラップ１２２の長さを調節するために、１つ以上のそのような調節可能結合部１２６を含み得る。各結合部１２６は、それぞれのストラップ１２２の第１のセグメント（患者支持体１０１の第１の区分１０４に取り付けられるセグメント等）に取り付けられ得、各結合部１２６は、２つのセグメントを患者の周りで一緒に固定するために、それぞれのストラップ１２２の第２のセグメント（患者支持体１０１の第２の区分１０６に取り付けられるセグメント等）を受け取るためのコネクタ（例えば、ストラップ１２２のそれぞれの端部が通されるループまたは類似開口）を画定し得る。調節可能結合部１２６におけるループまたは類似コネクタ要素を通したストラップセグメントの端部は、次いで、ストラップ１２２を患者の周囲の所望の位置に固定するために、摩擦係合または解放可能フックおよびループ留め具システム等を介して、開口を通されていないストラップセグメントの一部に選択的に取り付けられ得る。調節可能結合部１２６は、コンプライアントプラスチックエラストマ、コンプライアントポリマー、織布布地、および他の織物材料等、種々の頑丈であるが軟質かつコンプライアント材料から作製され得る。
【００５７】
システム１００は、患者支持体１０１の上部表面１３０、底部表面１５０、および他の外部表面が、患者の身体、衣類、および皮膚との直接接触のために好適な材料から形成される皮膚に優しい構成で提供され得る。代替として、外部表面材料は、デバイス１０１の上部表面１３０と患者との間に配置され、除去中、皮膚接触、皮膚剪断、または摩擦傷害を防止する、皮膚に優しい除去可能（単回使用）パッドまたは麻布構成要素と併せて使用され得るナイロンでコーティングされたＰＶＣ（ポリ塩化ビニル）またはＴＰＵ（熱可塑性ポリウレタン）材料もしくは他の好適なポリマー等、非通気性、非吸収性、および実質的に不浸透の表面材料から形成され得る。
【００５８】
第１の区分１０４および第２の区分１０６の側方分離を促進するために、膨張可能患者移転システム１００は、患者支持デバイスまたは装置１０１の第１の区分１０４および第２の区分１０６に取り付けられる１つ以上のタブまたはハンドルを含み得る。システム１００は、第１の区分１０４および第２の区分１０６に取り付けられる１つ以上の分離ハンドルまたはタブ１４０を含み得、タブまたはハンドル構造１４０は、看護および医療スタッフまたは他の処置提供者を含む異なるオペレータによる握持のために適合される。ハンドルまたはタブ１４０は、患者支持体１０１の頭部領域１０８に取り付けられ得る。いくつかの実施形態では、ハンドルまたはタブ１４０は、患者手技および移転の完了後、空気支承式患者支持体１０１の収縮時、互いからの裂け目区分１０４、１０６の分離を促進するために、支持体１０１の近位端１０８における裂け目１０２の開始または原点の近くの第１および第２の縦方向区分１０４、１０６のそれぞれの角に取り付けられ得る。
【００５９】
患者移転システム１００を用いて患者支持体１０１の上部表面上に横たわっている患者を移動させることを促進するために、システム１００は、患者支持体１０１の対向側に取り付けられた１つ以上の位置付けハンドル１４２を含み得る。例えば、システム１００は、患者支持体１０１の外側周辺の各側に取り付けられる複数のハンドル１４２を含み得る。システム１００は、頭部領域１０８、胴体領域１１０、下半身または脚部領域１１２、および足領域１１３のうちの１つ以上のもの内に位置するハンドル１４２も含み、患者支持体１０１の上部表面１３０上に横たわっている患者の移動を促進し得る。
【００６０】
膨張可能患者移転システム１００は、空気支承式患者支持体１０１を膨張させるために、１つ以上の充填ポートもしくは入口１４６も含むことができる。充填ポート１４６は、例えば、システム１００の横方向区分１１４に近接する遠位端１１２または１１３において、システム１００の端部に位置し得、それによって、システム１００の中に進入する空気は、患者支持体１０１の縦方向区分１０４、１０６の両方の中に実質的に同時に流動し、それによって、患者が上部表面１３０上に横たわっている間、システム１００の均一膨張を促進する。
【００６１】
図３Ａおよび３Ｂの実施形態では、例えば、１つ以上の充填ポート１４６が、支持体１０１の横方向区分１１４内に配置されるか、それに隣接するか、または、そうでなければ、概して、（患者の頭部の領域内の）近位端１０８における裂け目１０２の開始点と反対の支持体１０１の遠位端１１２または１１３（患者の身体の下腿または足領域内）に位置し得る。１つの特定の例では、システム１００は、３つの充填ポート１４６を含み、そのうちの１つは、患者支持体１０１の中心線または正中線Ａに沿って位置し、縦方向区分１０４と１０６との間の裂け目１０２と整列させられ、それらのうちの他の２つは、横方向区分１１４の両側または角に位置する。代替として、患者移転システム１００は、気流を膨張可能患者支持体１０１の縦方向区分１０４、１０６および任意の横方向区分１１４に提供するように位置付けられる１つ、２つ、３つ以上の充填ポート１４６を含み得る。
【００６２】
膨張可能患者移転システム１００は、患者支持体１０１の内部を通して流動する空気を向ける複数の内部バッフル１６０を含み得る。各バッフル１６０は、ポリマーまたは他の好適な材料の実質的に長円または長方形のシートから形成され得、上部縁が、患者支持体１０１の上側表面１３０の内側に取り付けられ、底部縁が、患者支持体１０１の下側表面１５０の内側に取り付けられる。１つ以上のバッフル１６０が、縦方向区分１０４および１０６の各々において、および横方向区分１１４において、システム１００の中心線Ａに対して横方向に延び得る。図１−３に図示されるように、複数のバッフル１６０が、システム１００の上側および下側表面１３０、１５０のコアエリア１３２、１５４内の裂け目１０２に対して横方向に（例えば、垂直に）延び得る。
【００６３】
（除去可能シート適用）
図４Ａは、除去可能移転シート１３１を伴う患者移転システム１００の側面図である。図４Ｂは、同様に、除去可能移転シート１３１を示す患者移転システム１００の端面図である。
【００６４】
図４Ａおよび４Ｂに示されるように、空気支承式患者支持体１０１は、例えば、病院用ベッドとストレッチャーとの間、または、ベッドまたはストレッチャーと手術台または検査台との間において、１つ以上の移転面２１０に沿って、患者または身体を移すことにおける使用のために膨張させられる。システム１００との使用のために好適な移転シート構成要素１３１は、限定ではないが、Ｗｈｉｔｅ  ａｎｄ  Ｅｍｅｒｓｏｎの米国特許第９，１０１，５２１号「ＳＹＳＴＥＭＳ，ＭＥＴＨＯＤＳ  ＡＮＤ  ＴＲＡＮＳＦＥＲ  ＳＨＥＥＴＳ  ＦＯＲ  ＴＲＡＮＳＦＥＲＲＩＮＧ  ＰＡＴＩＥＮＴＳ」（参照することによって本明細書に組み込まれる）に説明されるような単回使用移転シートを含む。
【００６５】
図３Ａ、３Ｂを参照し、図４Ａおよび４Ｂと比較すると、空気支承式患者支持体１０１の上側表面１３０が、材料／皮膚相互作用を向上させるように構成されることができるか、または、除去可能パッドまたは麻布構成要素１３１が、デバイス１０１と患者との間に提供されることができる。上側表面１３０または除去可能シート構成要素１３１は、医療手技および後続患者移転中に存在する、または生産される流体（例えば、血液および他の体液）を含むために、吸収特性を有し得る。いくつかの実施形態では、上側表面１３０の吸収性コアまたは中央エリア１３２は、例えば、相補的周辺境界エリア１３４に対して凹所に置かれて提供され得、それによって、流体は、コア吸収性エリア１３２の中に排出されるか、または向けられる。
【００６６】
コアエリア１３２が手技および移転中に生産された任意のそのような流体を吸収するように構成され得る一方、周辺境界エリア１３４は、比較的に不浸透性であり、吸収のために流体をコアエリア１３２の方に向けるように構成され得る。システム１００は、単回使用または使い捨て構成で提供され得るので、システム１００によって吸収された任意の流体は、承認された医療プロトコルに従って、衛生的様式で廃棄されることができる。システム１００は、再使用および単一患者使用も可能にし得る。種々の実施形態では、患者支持体装置１０１の上部表面１３０は、実質的に不浸透性であり得、除去可能吸収性シートが、上部表面１３０上に配置されることができる。種々の実施形態では、適合性がある使い捨てカバーが、装置１０１が新しい使い捨てカバーと再使用され得るように、患者支持体装置１０１の上に配置され得る。
【００６７】
（患者支持および継ぎ目構造）
図５Ａは、頭部および胴体領域１０８、１１０を示す患者移転システム１００の平面図である。図５Ｂは、バッフル１６０を含む内部構造を示すシステム１００の斜視断面図と、解放可能継ぎ目１１８の詳細図である。
【００６８】
図５Ａおよび５Ｂに示されるように、解放可能継ぎ目１１８は、患者支持体１０１の頭部領域１０８から胴体領域１１０に向かって延びている。分離ハンドルまたはタブ１４０が、患者移転が完了後、縦方向区分１０４、１０６を分離するために、頭部領域内に提供されることができる。
【００６９】
解放可能継ぎ目または細片１１８は、縦方向区分１０４、１０６間の結合を患者支持体１０１の膨張時に経験される横方向力または緊張負荷に対して維持し、患者支持体１０１が収縮させられると、区分１０４、１０６が分離され得るように降伏するように構成される。用途に応じて、継ぎ目１１８は、したがって、患者支持体デバイス１０１が膨張させられているとき、縦方向区分１０４、１０６に選択的に係合し、それらを接触関係に一緒に維持するために適合され、看護スタッフ、医療スタッフ、または他の介護者による移転後、隣接する区分１０４、１０６が、取り外され、互いから引き離されることを可能にするある範囲の好適な材料から形成されることができる。
【００７０】
例えば、穿孔された継ぎ目１１８は、隣接する区分１０４および１０６をまたいで実質的に連続する材料から形成されることができるか、または、方向性解放材料または引き裂き細片が、使用されることができ、それは、十分な垂直成分（：継ぎ目または細片１１８に対して実質的に横方向であり、患者支持体１０１の平面に対して実質的に横方向または垂直である垂直成分）を伴う方向性の力の下で降伏する。穿孔された継ぎ目実施形態では、解放可能継ぎ目１１８は、患者支持体１０１の上側表面１３０に沿って縦方向に延びている縦方向区分１０４および１０６と同一の実質的に連続した一体型の材料から形成されることができる。
【００７１】
いくつかの実施形態では、継ぎ目１１８は、縦方向区分１０４、１０６間の間隙または割れ目１０２の上方において、患者支持体１０１の上側表面１３０に沿って露出され、可視であることができる。代替として、継ぎ目１１８は、縦方向区分１０４、１０６間の垂直ウェブ取り付け構造を画定するために、垂直割れ目１０２の中に下方に延びていることができる。
【００７２】
（空気源結合部およびアダプタ）
図６Ａは、空気支承式患者移転システムのための流動結合部またはホース１６６の斜視図である。空気は、充填ポートまたは入口のうちの１つ以上のものに結合された送風機または他の空気供給源を介して、患者支持体の内部に供給されることができる。
【００７３】
図６Ｂは、例えば、図６Ａに示されるようなホースまたは類似流動構造１６６を使用して、送風機または他の圧縮空気源を患者支持体デバイス上の入口ポートに結合することにおける使用のための流動結合アダプタ１９０の斜視図である。図６Ｂは、代替流動アダプタ１９０の斜視図である。
【００７４】
図６Ａ、６Ｂ、および６Ｃを参照すると、患者移転システムは、空気ホース１６６を含み得、空気ホース１６６は、例えば、第１の端部１６８において患者支持体の充填ポートのいずれかに取り付けられ、他端１７０において送風機または圧縮空気源取り付けられ得る。第１の端部１６８は、例えば、選択されたポート１４６の中に挿入され、スナップ、リング、フックおよびループ取り付け部、または他の選択的機械的結合およびシール配列を用いて固定され得る実質的に円形の断面形状を伴う管状または円錐形結合部材１７４を使用して、本明細書に説明されるような患者支持体１０上の１つ以上の充填ポート１４６への取り付けのために適合されることができる。結合区分１７４は、種々のサイズの充填ポート開口部１４６の中への挿入を促進するために、ホース区分１８４から終端端部１６８に接近するにつれて内向きにテーパ状になり得る。いくつかの実施形態では、結合区分１７４は、円錐台形である。
【００７５】
空気ホース１６６の供給源結合端部１７０は、例えば、円筒形端部部分１７８を用いて送風機または他の外部空気供給源への取り付けのために適合されることができ、円筒形端部部分１７８は、端部部分１７８の後ろに環状の凹所に置かれた係合特徴１８０を有する。結合部１７４および１７８／１８０は、拡張可能ホース区分１８４の各端部上の一体型または別々の結合構成要素として形成され得、一般性を失うことなく、入れ替えられることができる。
【００７６】
ホース１６６の折り畳み可能区分１８４は、拡張可能であり、空気供給源を患者支持体１０１上の選択された充填ポート１４６に接続するために好適である異なる長さに適応する。空気ホース１６６は、製造中、事前に取り付けられ、患者支持体１０１とともに保管されるか、または、使用時、患者支持体１０１に取り付けられ得る。したがって、空気ホース１６６は、再使用可能であるか、または、空気支承式患者支持体１０１および患者移転システム１００の他の使い捨て構成要素と組み合わせて、単回使用用途のための使い捨て構成で提供され得る。
【００７７】
単回使用または使い捨て実施形態では、ホース１６６は、紙、ナイロン、布地、または他の好適なポリマーもしくは織物材料から形成され得、それらは、長さおよび直径の両方において、拡張可能および折り畳み可能であり、空気支承式患者支持体１０１とのコンパクト保管に適応する。これらの実施形態では、結合部１７４は、空気支承式支持装置１０１に事前に取り付けられた、または事前に縫製された接続の形態をとり得、例えば、ホース１６６の第１の端部１７４は、選択されたポート１４６にシールされる。ホースの第２の端部１８０も、折り畳み可能形態で提供され、摩擦嵌め、または圧縮リングまたはバンドシール機構を使用して、送風機または他の圧縮空気源に結合するために適合されることができる。
【００７８】
これらの実施形態のうちのいくつかでは、ホース１６６は、圧縮または折り畳まれ、空気支承式患者支持体１０１との実質的に平坦な保管のためにしまい込まれるように適合されることができ、それによって、ホース区分１８４は、空気源への接続のために所望されるまで、延長されない。患者移転が所望されると、ホース１６６の結合端部１８０は、使用のために、展開され、引き出され、送風機または他の空気源に取り付けられることができる。これは、ホース１６６が、重くかつ煩雑であり得、もつれる危険をもたらし得る従来技術設計とは対照的である。
【００７９】
膨張可能患者移転システム１００は、ホース結合器またはアダプタ１９０も含み、患者搬送システム１００とともに提供されるホース１６６を介して、または別の既存のホース構成要素を使用してのいずれかにおいて、種々の送風機および空気供給源システムの選択された充填ポート１４６への結合を促進し得る。図６Ｂおよび６Ｃを参照すると、例えば、システム１００は、空気支承式患者支持体１０１上の１つ以上のポート１４６と第三者供給源ホースシステムとの間、または、システム１００とともに供給されるホース１６６と第三者送風機または空気供給源の出口との間で接続するように設計された適応ホース結合器１９０を含み得る。
【００８０】
図６Ｂに図示されるように、ホース結合部またはアダプタ１９０は既存のホース１６６を患者支持デバイス１０１のポートまたは通気口１４６に結合するために、かつホース１６６を特定の送風機または空気供給構成要素に結合するために構成され得る。図６Ｃに図示されるように、汎用ホース結合器またはアダプタ１９０が、空気支承式患者支持体１０１上のポート１４６に結合するために適合された第１の界面１９２と、例えば、圧縮ホース継手を使用して、種々の異なるホースシステムに結合するために構成される、第２の界面１９４とを提供し得る。代替として、第１の界面１９２は、患者搬送システム１００とともに供給されるホース１６６の端部１７０に結合するために適合されることができ、例えば、ホース１６６の他端１６８は、上で説明されるような空気支承式患者支持体１０１上のポート１４６に取り付けられる。これらの実施例では、第２の界面１９４は、別のホース構成要素または好適な送風機もしくは他の圧縮空気源の出口のいずれかに結合するために適合されることができ、それは、専用（カスタマイズされた）構成において、または、第三者（汎用）販売業者によって提供され得る。
【００８１】
カスタム実施形態では、アダプタ１９０は、患者移転システム１００とともに供給されるホース１６６の端部１７０を選択された送風機または空気供給源の出口に結合すること、または、１つ以上のポート１４６を圧縮空気を提供するように構成された選択された外部ホースシステムに結合することを行うための簡単化された界面１９２、１９４を有し得る。代替として、１つ以上のカスタムホースアダプタ１９０が、システム１００を対応する範囲の特に識別された、または事前に選択された送風機、空気供給源、もしくはホースシステムを併用するために提供され得る。追加の実施形態では、アダプタ１９０は、内部または一体型圧縮空気もしくは拡張ガス源１９５、例えば、内部または外部給電式送風機、圧縮空気または二酸化炭素カートリッジ、もしくは他の好適な拡張ガス源を含み得る。
【００８２】
（適用）
空気支承式患者移転システム１００または支持装置１０１は、患者を１つの表面を横断して別の表面に（例えば、医療用担架またはストレッチャーから病院用ベッドもしくは手術台に、またはその逆に）移すために使用されることができる。システム１００は、収縮状態では、第１の表面上に位置付けられ得、患者は、仰臥位位置（背中を下にして横たわっている）、または、代替として、腹臥位（正面を下にして横たわっている）において、収縮させられた患者支持体１０１の上部表面１３０上に配置され得る。１つ以上のストラップ１２２および調節可能結合部１２６が、患者をシステム１００に固定するために使用されることができる。患者支持体１０１は、次いで、患者の下で、例えば、送風機または類似空気源を用いて、膨張させられることができる。
【００８３】
患者支持体１０１に供給される空気は、システム１００上に支持される患者を１つの表面から別の表面にスライドさせる間、少なくとも部分的に装置１０１を支持し、摩擦を低減させるために、底部表面１５０上の複数の孔１５２を通して向けられる。患者が、移された後、支持体１０１は、患者が実質的に静止した位置に留まっている（例えば、その背中を下にして横たわり、胴体を側面から側面に回転させながら）間、収縮させられ、患者の下から容易に除去され得る。
【００８４】
空気支承式患者支持体１０１の主要本体は、裂け目または割れ目構造１０２を含み、患者の下からの縦方向区分１０４および１０６の容易な除去を可能にする。より具体的には、裂け目１０２は、患者支持体１０１の長さに沿って縦方向に延び、支持体１０１の実質的長さを２つの別個の縦方向区分１０４、１０６に分割する。縦方向区分１０４、１０６は、１つの表面から別の表面への患者の移転中、方向性継ぎ目または類似の選択的係合１１８によって、一緒に結合される。移転後、システム１００は、患者を支持しながら、収縮させられ得、区分１０４および１０６は、解放可能継ぎ目１１８を介して、裂け目１０２に沿って分離されることができる。
【００８５】
収縮時、ストラップ１２２は、分離され得、患者は、もはや収縮させられた空気ベッドまたは支持デバイス１０１に固定されない。解放可能継ぎ目１１８は、例えば、患者の頭部領域内の近位端１０８において、２つの縦方向区分１０４、１０６が取り外されるように操作されることができ、区分１０４、１０６は、区分１０４、１０６を患者の下から除去するために、互いに対して反対側方方向に引っ張られることができる。このように、システム１００は、患者を片側または別の側に回転させずに、患者の下から除去されることができる。患者支持体１０１が、無影響（分割されない）横方向区分１１４を含む実施形態では、収縮させられた横方向区分１１４も、例えば、縦方向区分１０４、１０６を近位および中央領域１０８、１１０内の患者の頭部および胴体の反対側に除去し、横方向区分１１４を遠位領域１１２、１１３の一方または両方内の患者の下腿または足の下からスライドさせることによって、患者の胴体の操作を要求せずに、除去されることができる。
【００８６】
好適な患者移転システム１００は、第１の膨張可能区分１０４と、第１の膨張可能区分１０４に隣接して配置される、第２の膨張可能区分１０６とのうちの１つ以上のものを備え得、第１および第２の膨張可能区分１０４、１０６は、患者を支持するために構成される。選択的係合または解放可能継ぎ目１１８が、第１および第２の膨張可能区分１０４、１０６間に提供されることができ、例えば、解放可能継ぎ目１１８は、患者の頭部領域１０８、身体または胴体領域１１０、および下半身（脚部）領域１１２の少なくとも一部を通して、第１および第２の膨張可能区分１０４、１０６間に縦方向に延びている裂け目１０２をまたいで画定される。第１の区分１０４および第２の区分１０６は、患者をいずれの側にも回転させずに、装置１０１の除去のために、裂け目１０２に沿って側方に分離可能である。
【００８７】
裂け目１０２は、それと流動連通する第１および第２の膨張可能区分１０４、１０６間に延びているデバイス１０１の横方向区分１１４で終端することができ、例えば、横方向区分１１４は、足１１３の領域内において、患者を支持するように構成される。例えば、裂け目１０２は、第１の区分１０４および第２の区分１０６が、類似または実質的に同じであり、中間軸Ａに対して対称であるように、デバイス１０１の中間軸Ａに沿って延びていることができる。
【００８８】
第１および第２の膨張可能区分１０４、１０６は、１つ以上のポートもしくは入口１４６に結合された外部または統合された空気源による同時膨張のために、他のものとも流動連通する（例えば、横方向区分１１４を介して）。拡張可能空気ホース１６６は、第１および第２の区分１０４、１０６を膨張させるために、空気ベッドまたは患者支持体１０１を空気供給源に取り付けるように適合されることができ、例えば、空気ホース１６６は、空気支承式患者支持体１０１と組み合わせて、単回使用用途のために構成される。結合アダプタ１９０も、空気ホースを外部空気供給源の１つ以上の異なるモデルと、または、統合または内部アダプタおよび圧縮空気もしくはガスシステム１９０と接続するように構成されることができる。
【００８９】
患者移転システム１００は、第１および第２の膨張可能区分１０４、１０６間に画定された裂け目１０２に沿って延びている解放可能継ぎ目１１８を含み得、例えば、継ぎ目１１８は、第１および第２の膨張可能区分１０４、１０６の選択的取り付け、および分離のために構成される。用途に応じて、継ぎ目１１８は、裂け目１０２の全長に沿って延び、患者のための連続支持表面、例えば、空気支承式ベッドデバイス１０１の膨張後、第１および第２の区分１０４、１０６間の裂け目１０２をまたいで延びている連続上側支持表面１３０を提供するように構成され得る。
【００９０】
患者移転システム１００は、第１および第２の膨張可能区分１０４、１０６をまたいで取り付けられた１つ以上の調節可能ストラップ１２２も含み得、調節可能ストラップ１２２は、患者を空気支承式支持体１０１に固定するように構成される。コア吸収面積１３２が、流体を吸収するために、装置１０１の上側表面１３０上に画定されることができ、例えば、境界エリアまたは隆起特徴１３４が、コアエリア１３２を包囲し、境界エリア１３４は、流体をコアエリア１３２内の吸収性要素の方に向けるために、コアエリア１３２に対して持ち上げられる。
【００９１】
（追加の実施例）
図７は、本明細書に説明されるような患者移転システム１００の断面図である。図７に示されるように、システム１００は、第１および第２の縦方向区分１０４（正面）と１０６（背面）とを伴う空気支承式患者支持体または「空気ベッド」装置１０１を含む。ポートまたは入口１４６は、例えば、横方向区分１１４を介して、第１および第２の縦方向区分１０４、１０６と流動連通するように提供され、ポートまたは入口１４６は、１つ以上の表面２１０をまたいだ（例えば、手術台または検査台とベッドもしくはストレッチャーとの間で、または１つのベッドもしくはストレッチャーから別のベッドまたはストレッチャーに等）患者（または他者の身体）２００の移転のための空気支承式支持体１０１の膨張のために構成される。
【００９２】
選択的に係合される結合部または継ぎ目部材１１８が、第１および第２の縦方向区分１０４、１０６間に画定された割れ目または裂け目構造１０２に沿って延びている（図３参照）。選択的結合部または継ぎ目１１８は、空気支承式支持体１０１上での身体の移転のために、第１および第２の縦方向区分１０４、１０６を一緒に取り付け、分離および除去のために、少なくとも部分的に第１および第２の縦方向区分１０４、１０６を切り離すように構成される。
【００９３】
用途に応じて、選択的結合部は、（例えば、患者の身体の頭部領域内の）近位端領域１０８から（例えば、患者の身体の下腿または足領域内の）遠位端１１２または１１３に向かって、空気支承式患者支持体１０１の膨張可能区分１０４、１０６間に縦方向に延びている方向性または選択的に解放可能な継ぎ目１１８を備え得る。代替として、患者の向きは、逆転され得るか、または、別の者の身体２００が、搬送されることもできる。
【００９４】
解放可能継ぎ目１１８は、近位端１０８において、縦方向区分１０４、１０６を切り離し、区分１０４、１０６を近位端１０８から遠位端１１２または１１３に向かって縦方向に分離するように構成されることができる。例えば、解放可能継ぎ目１１８は、患者支持体１０１の上側および下側表面１３０、１５０間に垂直に延び、システム１００の膨張時、身体２００の移転のために、区分１０４、１０６の取り付けを維持するために、正面および背面縦方向区分１０４、１０６間の裂け目１０２に沿って、ウェブまたは類似取り付け構造を形成し得る。
【００９５】
継ぎ目は、空気支承式支持体１０１の収縮および手動分離力の適用時、縦方向区分１０４、１０６を切り離すように適合される。例えば、手動引っ張り力または緊張負荷が、上で説明されるように、区分１０４、１０６を裂け目１０２と垂直な方向に分離するために、１つ以上の分離ハンドル１４０を介して、印加されることができるか、または、区分１０４、１０６は、好適な分離または横方向、例えば、裂け目１０２に対して横方向および患者支持体１０１の平面に対して横方向の「引き裂き」力を加えることによって分離されることができる。
【００９６】
選択的結合部は、したがって、胴体領域１１０内の患者２００の追加の操作を伴わずに、（すなわち、患者２００上でのさらなる回転動作を要求せずに）近位端１０８における縦方向区分１０４、１０６の切り離しのために、裂け目１０２または方向性継ぎ目１１８に沿った身体２００の対向側への縦方向区分１０４、１０６の分離のために、および身体２００の下からの空気支承式支持体１０１の除去のために構成されることができる。空気支承式患者支持体１０１の横方向区分１１４は、第１および第２の縦方向区分１０４、１０６と流動連通するように提供され、例えば、選択的結合部または継ぎ目１１８は、横方向区分１１４の中央部分から患者支持体１０１の近位端１０８まで第１および第２の縦方向区分１０４、１０６間に延びている。
【００９７】
１つ以上のポートもしくは入口結合部１４６が、空気支承式患者支持体１０１内、例えば、横方向区分１１４内に配置され、第１および第２の縦方向区分１０４、１０６と流動連通するように提供され得る（例えば、横方向区分１１４を介して、ポート１４６から）。例えば、好適なポート１４６は、外部送風機または他の圧縮空気供給源のための入口結合部を備え得、それは、空気支承式患者支持装置１０１の膨張のために構成される。
【００９８】
空気ホース１６６（図４）が、入口結合部１４６に取り付けられることができ、例えば、空気ホース１６６は、移転システム１００の単回使用用途において、気流を外部空気供給源から患者支持体１０１に向けるために適合される。好適な空気ホース構成要素１６６は、気流を向けるために適合された拡張可能または折り畳み可能流動区分１８４を含み、折り畳み可能流動区分１８４は、空気支承式患者支持体１０１と組み合わせた実質的に平坦な保管のために、かつ膨張において使用するための空気支承式患者支持体１０１からの延長のために構成される。代替として、一体型空気供給源および結合部１９０は、ポート１４９に結合されることができ、一体型空気供給源１９０は、移転システム１００の単回使用用途において、空気支承式支持体１０１の膨張のために適合される。
【００９９】
選択的結合部は、第１および第２の縦方向区分１０４、１０６間に画定された継ぎ目１１８および裂け目１０２をまたいで空気支承式支持体１０１の実質的に連続した上部表面１３０を画定するように構成される縦方向継ぎ目構造１１８を備え得る。したがって、身体２００は、空気支承式支持体１０１の膨張時、実質的に連続した上部表面１３０上に支持されることができる。
【０１００】
複数の内部バッフル１６０が、第１および第２の縦方向区分１０４、１０６の一方または両方内（または横方向区分１１４内）に配置されることができる。図７に示されるように、例えば、バッフル１６０は、膨張させられると、構造完全性を提供するために、空気支承式支持体１０１の底部表面１５０と上部表面１３０との間に垂直に延びる。バッフルはまた、縦方向区分１０４、１０６に対して（および継ぎ目１１８に対して）横方向に延び得、さらに、空気支承式支持体１０１の膨張のために、各区分１０４、１０６、１１４を通して、バッフル１６０を横断して縦方向気流を可能にするように適合された１つ以上のポートもしくは開口（孔）１６１を備え得る。代替として、バッフル１６０は、例えば、図５Ｂに示されるように、一方または両方の区分１０４、１０６を通して、縦方向に延び得る。
【０１０１】
選択的結合部は、空気支承式支持体１０１の単回使用移転用途に応じて、第１および第２の縦方向区分１０４、１０６の分離および除去のために構成される選択的に切り離し可能または解放可能な継ぎ目１１８を画定し得る。システム１００全体またはその構成要素は、次いで、移転動作および患者の身体２００の下からの除去後、衛生的廃棄のために構成されることができる。１つ以上の開口１１９が、切り離し可能または解放可能継ぎ目１１８に沿って配置され、例えば、空気支承式支持体１０１の膨張時、第１および第２の縦方向区分１０４、１０６間の裂け目１０２を横断した横方向気流のために構成され得る。
【０１０２】
患者移転システムのいくつかの実施形態では、選択的結合部は、第１および第２の縦方向区分１０４、１０６間に画定される穿孔された継ぎ目１１８を備えている。例えば、穿孔された継ぎ目１１８は、膨張可能患者支持体装置１１０の上部表面１３０に沿って延び、区分１０４、１０６と実質的に同一材料から形成され得る。同様に、第１および第２の縦方向区分１０４、１０６は、横方向区分１１４および患者支持体１０１の他の構成要素と実質的に同一かつ連続する材料から形成され得、実質的に連続する材料１１８は、間隙または裂け目１０２を横断して延び、穿孔された継ぎ目１１８を区分１０４と１０６との間に画定する。
【０１０３】
代替として、裂け目１０２および継ぎ目構造１１８は、２つの別個の分割された区分１０４、１０６への患者支持体１０１の完全な分離のために、横方向区分１１４を通して延び得、それらは、独立して、患者２００の両側の下から除去されることができる。用途に応じて、横方向区分１１４は、存在しないこともあり、流動開口１１９は、流動連通を縦方向区分１０４、１０６間に提供するために、横方向区分１１４を通して延びている継ぎ目構造１１８を横断して提供されることができる。
【０１０４】
複数の流動開口１５２も、空気支承式支持体の底部表面１５０上に配置されることができ（図２参照）、開口１５２は、空気支承式支持体１０１と、それらをまたいで身体の移転が遂行される１つ以上の表面２１０との間の気流のために構成される。したがって、患者は、少なくとも部分的に気流上に支持され、気流は、患者移転をより容易に、かつ患者２００または移転を補助する医療作業者（または他の介護者）のいずれかへの不快感または傷害のリスクを殆ど伴わずに、遂行するために、空気支承式患者支持体１０１の底部１５０と移転面または複数の表面２１０との間の摩擦を低減させることができる。
【０１０５】
１つ以上の調節可能ストラップ１２２が、例えば、空気支承式支持体１０１の第１および第２の縦方向区分１０４、１０６間に患者２００をまたいで横方向に延びているように、提供されることができる。ストラップ１２２は、空気支承式支持体１０１の周辺に取り付けられるか、または支持体１０１の底部表面１５０の周囲に延びていることができ、移転プロセス中、身体２００を上部表面１３０に固定するために、調節可能留め金、バックル、または類似結合システム１２６を含み得る。
【０１０６】
１つ以上のハンドル１４２も、空気支承式支持体１０１の周縁に沿って配置されることができ、ハンドル１４２は、空気支承式支持体１０１を１つ以上の表面をまたいで引っ張り、身体２００の移転を遂行するために構成される。追加のハンドルまたは引っ張りタブ１４０も、区分１０４、１０６を切り離し、区分１０４、１０６を継ぎ目１１８に沿って分離するために提供されることができる（例えば、移転が終了し、患者支持体１０１が収縮させられた後）。
【０１０７】
用途に応じて、空気支承式支持体またはベッド１０１は、患者の身体の頭部領域（近位区分１０８）を支持するように構成される近位部分と、患者の身体の胴体領域（中間区分１１０）を支持するように構成される中間部分と、患者の身体の下側領域（遠位区分１１２）を支持するように構成される遠位部分とを含むことができる。遠位部分は、患者の下肢または脚部を支持し、患者の足（遠位区分１１３）を支持するようにも構成されることができる。
【０１０８】
選択的結合部または継ぎ目１１８は、縦方向区分１０４、１０６を一緒に取り付け、それぞれ、頭部領域および身体の胴体領域２００を近位および中間部分１０８、１１０内に支持し、近位部分１１０内の縦方向区分１０４、１０６を患者の頭部に向かって切り離すように構成されることができる。選択的結合部または継ぎ目１１８は、胴体を回転させる、または、別様に、患者を側面から側面に操作することなく、身体２００の下からの空気支承式患者支持装置１０１の除去のために、近位部分または頭部（区分１０８）から少なくとも中間部分または胴体（区分１１０）を通して進む方向に、縦方向区分１０４、１０６を分離するように構成されることができる。
【０１０９】
例えば、移転システム１００は、横方向区分１１４を有する空気支承式患者支持体１０１を備え得、第１および第２の縦方向区分１０４、１０６が、横方向区分１１４から延びている。ポート１４６が、例えば、横方向区分１１４を介して、第１および第２の縦方向区分１０４、１０６と流動連通するように提供されることができ、ポート１４６は、上部表面１３０において、患者２００の移転のための空気支承式患者支持体１０１の膨張のために構成されることができる。
【０１１０】
複数の流動開口または孔１５２が、空気支承式患者支持体１０１の底部表面１５０上に配置されることができ、流動開口１５２は、移転中、空気支承式患者支持体１０１の内部からの気流のために構成される。したがって、患者２００および支持装置１０１は、移転が遂行されるとき、少なくとも部分的に気流上に支持され、気流は、支持体１０１の底部表面１０５と表面または複数の表面２１０との間の摩擦を実質的に低減させる。
【０１１１】
選択的に係合される継ぎ目１１８が、空気支承式支持体１０１の近位端１０８から遠位端１１２または１１３に向かって第１および第２の縦方向区分１０４、１０６間に延びているように、提供されることができる。選択的に係合される継ぎ目１８８は、空気支承式支持体上の膨張時の身体２００の移転のために、縦方向区分１０４、１０６の取り付けを維持し、空気支承式支持体の収縮時の分離および除去のために、近位端における縦方向区分を選択的に切り離しのために構成されることができる。
【０１１２】
空気支承式支持体１０１の近位端１０８は、患者２００の頭部領域を支持するように適合されることができ、選択的に係合される継ぎ目１１８は、患者２００の頭部領域に近接する近位端１０８から、支持装置１０１の中間部分１１０内の患者の少なくとも胴体領域を通して、縦方向区分１０４、１０６の分離のために構成される。継ぎ目１１８は、支持体１０１の中間部分１１０における患者の胴体領域のさらなる操作なしの患者２００の対向側への縦方向区分１０４、１０６の除去のためにさらに構成されることができる。
【０１１３】
選択的に係合される継ぎ目１１８は、空気支承式患者支持体１０１の実質的に連続した上部表面１３０を画定するように適合されることもでき、継ぎ目１１８は、第１および第２の縦方向区分１０４、１０６間の裂け目１０２をまたいで延びている。例えば、第１および第２の縦方向区分１０４、１０６は、実質的に連続する材料から形成され得、実質的に連続する材料は、区分１０４、１０６間に縦方向に延びている穿孔された継ぎ目１１８も画定する。患者の移転の完了時、継ぎ目１１８は、縦方向区分１０４、１０６の分離および除去のために構成される。空気支承式支持体１０１の単回使用移転用途に続いて、システム１００全体または支持体１０１の上に配置される使い捨てカバーは、衛生的廃棄のために構成され得る。
【０１１４】
複数の内部バッフル１６０が、例えば、第１および第２の縦方向区分１０４、１０６の一方または両方内に横方向に、かつ空気支承式支持体１０１の底部および上部表面１５０、１３０間に垂直に延びているように、提供されることができる。この配列では、バッフル１６０は、区分１０４、１０６の各々に沿った縦方向気流を可能にしながら、支持体１０１の膨張時、構造支持を提供するように構成されることができる。
【０１１５】
いくつかの実施例では、１つ以上のストラップ１２２が、患者を上部表面１０３に固定するために、空気支承式患者支持体１０１の縦方向区分１０４、１０６をまたいで横方向に延びている。装置は、患者２００を１つの表面２１０から別の表面に引っ張ることによって移転を遂行するために、支持ベッド１０１の周縁に沿って配置される１つ以上のハンドル１４２を含むことができる。
【０１１６】
吸収性層部分１３２が、空気支承式患者支持装置１０１の上部表面１３０上に提供または配置されることができ、吸収性層１３２は、移転が完了した後の空気支承式装置１０１と一緒の流体の吸収および廃棄のために適合される。境界１３４は、吸収性層部分１３２の周りに配置され得、例えば、隆起境界１３４は、流体を吸収性層部分１３２に向けるように適合される。代替として、患者支持装置１０１の上部表面１３０は、実質的に不浸透性であり得、除去可能吸収性シートが、上部表面１３０上に配置されることができる。
【０１１７】
図８Ａは、縦方向区分１０４、１０６の各々に沿って延びている縦方向バッフル１１８を伴う患者移転システム１００の斜視図である。図８Ｂは、図８Ａのシステムのための空気支承式患者支持体１０１の分解図である。
【０１１８】
図８Ａおよび８Ｂに示されるように、空気支承式患者支持体１０１の上部および底部表面１３０、１５０は、別個のパネル１３０Ａ、１５０Ｂから形成されることができ、それらは、溶接、熱接合、ＲＦ接合、化学接合、または類似の機械的取り付けおよび圧力シールプロセスによって、周辺１２５の付近で一緒に取り付けられる。内部バッフル１１６が、患者支持体１０１の上部表面１３０を画定する上部パネル１３０Ａと、底部表面１５０を画定する底部パネル１５０Ｂとの間に取り付けられ、穿孔１５２が、区分１０４、１０６間の裂け目１０２に沿って延びている選択的係合または解放可能継ぎ目１１８と略平行に、縦方向向きにおいて、第１および第２の縦方向区分に沿って延びている。
【０１１９】
解放可能継ぎ目１１８は、横方向または垂直力下における好適な解放特性を伴う穿孔された縦方向継ぎ目１１８または類似継ぎ目構造１１８を含む追加の解放可能取り付け部または選択的接合材料の有無にかかわらず、種々の好適な形態で提供されることができる。解放可能継ぎ目１１８の好適な例は、膨張可能（空気支承式）患者支持体１０１の上部および底部層またはパネル１３０Ａ、１５０Ｂの内部表面上に画定される分離継ぎ目特徴１１８も包含し、分離継ぎ目特徴１１８は、溶接プロセスが、横方向力に応答して、継ぎ目１１８のための分離点または解放特徴としての機能を果たすように、（デバイス１０１の同一側の）溶接された周辺１２５における継ぎ目１１８に隣接して、またはそれと平行に（それに沿って）、パネル材料１３０Ａまたは１０５Ｂ（または両方）の側方または横方向構造を弱くするように構成される。
【０１２０】
これらの設計は、穿孔された継ぎ目１１８と類似選択的解放条件下、継ぎ目１１８に沿った縦方向区分１０４、１０６の分離を可能にし、ある実施形態では、溶接または接合プロセスを利用して、継ぎ目１１８またはスリット１０２に沿って延びている実際の穿孔を要求せずに、図８Ａおよび８Ｂに示されるように、継ぎ目１１８のための解放点を画定する。代替として、組み合わせプロセスが、継ぎ目１１８を画定するために使用されることができ、例えば、解放点は、中央（胴体）部分１１０および遠位（下肢）部分１１２、１１３内の継ぎ目１１８の縦方向範囲に沿った穿孔の有無にかかわらず、（患者の頭部における）近位部分１０８に隣接する溶接された周辺１２５における継ぎ目１１８に沿って画定される。
【０１２１】
図９Ａは、代替患者移転システム１００の上部斜視図である。図１Ａの実施形態と比較して、図９Ａおよび９Ｂの患者移転システム１００は、溶接されたポリマーシート設計から形成されることもできる。このプロセスでは、患者支持体１０１の上部および底部層が、一緒に「打ち抜かれ」、または、一方が他方の上に配置され、周辺１２５において一緒に溶接され、膨張可能空気支承式患者支持体１０１を画定する。好適な溶接プロセスは、限定ではないが、熱溶接、化学溶接、および高周波（ＲＦ）溶接方法を含む。追加の溶接も、内部バッフル等の追加の特徴とともに、ハンドル１４０、１４２等の他の特徴を画定するために、または、取り付けるために使用されることができる。
【０１２２】
図９Ｂは、患者移転システム１００の底部斜視図である。膨張可能患者移転システム１００は、患者の身体を膨張させられた患者支持体１０１上に支持し、患者の体重を底部表面１５０の上により均一に分散させ、摩擦を低減させ、患者移転を促進するように構成される。上記の図２におけるように、支持体１０１の底部表面１５０も、複数の小開口、穿孔、スロット、または孔の列１５２を含み得、それらは、膨張させられたベッドまたは患者支持体１０１の内側の空気が、底部表面１５０の下を流動する空気のクッションを提供するように、制御された様式で逃れることを可能にするように構成される。設計に応じて、十分な気流が、患者が患者支持体１０１上に横たわっている間、システム１００を移動させるために、孔または開口１５２を通して発生させられ、十分な気流は、少なくとも部分的に底部表面１５０を支持し、移転面との摩擦接触を低減させることができる。
【０１２３】
図９Ａおよび９Ｂを参照すると、穿孔された縦方向継ぎ目１１８は、移転プロセス中、縦方向区分１０４、１０６を軸方向分離１０２をまたいで一緒に固定するために使用されることができる。継ぎ目１１８は、移転後、区分１０４、１０６を分離するために、解放点または解放機構として機能することができる。
【０１２４】
図１０Ａは、分離可能継ぎ目を示す図９Ａの患者移転システムの平面図である。図１０Ｂは、図１０Ａの継ぎ目の拡大図である。
【０１２５】
図１０Ａおよび１０Ｂに図示されるように、上部層１２７および底部層１２８の溶接１２３は、分離可能継ぎ目１１８を画定し得る。１つ以上の開口、陥凹、または切り込み線１２９が、解放可能継ぎ目１１８に沿って形成され、継ぎ目１１８に沿った縦方向区分１０４、１０６の分離を促進し得る。この構成は、異なる材料、例えば、患者支持体１０１の縫製された構造において想定されるような布地ウェブまたは織物材料から形成される中間引き裂き表面によって接合される２つの別個の区分を伴う分割されたユニットの使用とは対照的に、実質的に連続し、かつ一体型または同種（均一）の材料から形成される実質的に単一のユニットとして、患者支持体デバイス１０１の「空気支承式」または「空気マットレス」アセンブリを提示する。
【０１２６】
図１１Ａは、内部構造を示す図９Ａの患者移転システムの断面図である。図１１Ｂは、代替内部構造を示す図９Ａの患者移転システムの断面図である。図１１Ｃは、代替内部構造を示す図９Ａの患者移転システムの断面図である。
【０１２７】
図１１Ａ、１１Ｂ、および１１Ｃに図示されるように、膨張可能患者移転システム１００は、患者支持体１０１の内部を通して流動する空気を向ける複数の内部バッフル１６０を含み得る。各バッフル１６０は、ポリマーまたは他の好適な材料の実質的に長円または長方形のシートから形成され得、上部縁が患者支持体１０１の上部層１２７の内側に取り付けられ、底部縁が、患者支持体１０１の底部層１２８の内側に取り付けられる。バッフル１６０は、支持体１０１の長さに沿って延び得、チャンバ１３３が、上部および底部層１２７、１２８と隣接するバッフル１６０との間に形成され得る。
【０１２８】
種々の実施形態では、患者移転システム１００は、垂直バッフルを含まないか（図１１Ａ参照）、全ての垂直バッフル１６０を含むか（図１１Ｃ参照）、または、垂直バッフル１６０を伴う区分と垂直バッフルを伴わない区分との組み合わせを含み得る（図１１Ｂ参照）。
【０１２９】
図１１Ａに図示されるように、上部および底部層１２７、１２８は、溶接１２３を介して、一緒に溶接され得、それらは、患者支持体１０１の長さに沿って延び得る。隣接する溶接１２３は、チャンバ１３３が、上部および底部層１２７、１２８と隣接する溶接１２３との間に形成されるように、互いから間隔を置かれ得る。溶接１２３のうちの１つ（例えば、中心または中央溶接）は、分離可能継ぎ目１１８を形成し得る（図１０Ｂ参照）。図１１Ｂに図示されるように、図１１Ａの溶接１２３は、分離可能継ぎ目１１８を形成するために使用される中心または中央溶接１２３を除き、バッフル１６０によって置換される。
【０１３０】
図１１Ｃに図示されるように、患者移転システム１００は、全ての垂直バッフル１６０を含み得、一対の隣接するバッフル１６０は、裂け目１０２を形成し得る。これらの種々の構造のいずれか内のチャンバ１３３は、チャンバ１３３が、別個に膨張させられ得るように、空気支承システムまたは空気マットレス内でシールされ得る（例えば、片側を膨張させ、位置付けまたは他の医療目的のために、患者を「傾ける」、もしくは上半身または脚部を膨張させるが、残りのチャンバを膨張させ、患者移転をもたらすための容量を維持する）。
【０１３１】
図１２Ａは、ポートの中に挿入されるホースアダプタを示す図９Ａの患者移転システムの斜視図である。図１２Ｂは、図１２Ａのホースアダプタおよびポートの部分分解図である。
【０１３２】
患者移転システム１００は、１つ以上の充填ポートを含み得る。例えば、図１２Ａに図示されるように、充填ポート１４６は、支持体１０１の横方向区分１１４内に配置されるか、それに隣接するか、または、別様に、概して、（例えば、患者の頭部の領域内の）近位端１０８における裂け目１０２の開始点と反対にある（例えば、患者の身体の下腿または足領域内の）支持体１０１の遠位端１１２内に位置し得る。充填ポート１４６は、患者移転システム１００を膨張させ、表面間の患者の移転を促進するために使用され得る。
【０１３３】
図１２Ａを継続して参照すると、膨張可能患者移転システム１００は、ホース結合器またはアダプタ１９０を含み、例えば、ホース１６６を介して、種々の送風機および空気供給源システムと充填ポート１４６の結合を促進し得る。図１２Ａに図示されるように、ホースアダプタ１９０は、空気支承式患者支持体１０１上の充填ポート１４６と、第三者供給ホースシステムであるか、またはシステム１００とともに供給され得るホース１６６とに接続するように設計され得る。ホース１６６は、第三者送風機または空気供給源の出口と接続し得る。ホースアダプタ１９０は、内部ボアを画定し、患者移転システム１００と空気供給源を流動的に結合し得る。
【０１３４】
図１２Ｂに図示されるように、ホースアダプタ１９０は、既存のホース１６６をポートまたは通気口１４６に結合するために構成され得る。ホースアダプタ１９０は、空気支承式患者支持体１０１上のポート１４６に結合するために適合された第１の界面１９２と、例えば、圧縮ホース継手を使用して、種々の異なるホースシステムに結合するために構成される第２の界面１９４とを提供し得る。第１の界面１９２は、バヨネット式コネクタとして構成され得る。例えば、図１２Ｂに図示されるように、第１の界面１９２は、ポート１４６内に形成される通路１９７を通してスライドし、ポート１４６に対するホースアダプタ１９０の回転を介して、ポート１４６の内部段部１９８の背後に固定される１つ以上の突出部１９６を含み得る。図１２Ｂでは、ホースアダプタ１９０は、ポート１４６内に形成される４つの通路１９７の中への進入、次いで、ポート１４６の４つの段部１９８の背後への回転のために、ホースアダプタ１９０の円周の周囲に等距離で間隔を置かれる４つの突出部１９６を含む。ホースアダプタ１９０は、用途に応じて、より多いまたはより少ない突出部１９６、通路１９７、および段部１９８を含み得る。
【０１３５】
第２の界面１９４は、ホース１６６に解放可能に結合されるように構成され得る。例えば、図１２Ｂに図示されるように、第２の界面１９４は、ホース１６６を握持するために、複数の軸方向に延びているフィンガ１９９を含み得る。フィンガ１９９は、ホース１６６のカラー２０１を握持するように構成され得る。例えば、フィンガ１９９の遠位端は、カラー２０１の後縁またはショルダ２０３に係合し、ホース１６６をホースアダプタ１９０に固定し得る。フィンガ１９９は、弾力性があり得、ホース１６６のホースアダプタ１９０への接続およびそれからの接続解除中、変形し得る。図１２Ｂに図示されるように、フィンガ１９９は、フィンガ１９９の遠位端の近傍のホースアダプタ１９０の中心線に向かって内向きに湾曲し、指１９９とカラー２０１の後縁またはショルダ２０３の係合を促進する。
【０１３６】
空気供給源を患者移転システム１００に結合するために、ユーザは、ホースアダプタ１９０の１つ以上の突出部１９６を充填ポート１４６内の対応する通路１９７と回転整列させ得る。ユーザは、突出部１９６が、通路１９７を通してスライドするように、ホースアダプタ１９０を充填ポート１４６に向かって軸方向に移動させ得、次いで、ユーザは、ホースアダプタ１９０を充填ポート１４６に対して回転させ、突出部１９６を充填ポート１４６の１つ以上の段部１９８の背後に移動させ、ホースアダプタ１９０を充填ポート１４６に結合させ得る。ホース１６６をホースアダプタ１９０に結合するために、ユーザは、弾力的なフィンガ１９９が、ホース１６６のカラー２０１の背後にスナップ嵌めし、ホース１６６をホースアダプタ１９０に結合するまで、ホース１６６の遠位端をホースアダプタ１９０の第２の界面１９４の中に挿入し得る。ユーザは、概して、これらのステップを逆にし、ホース１６６を充填ポート１４６から除去し得る。
【０１３７】
（使用方法）
患者搬送システム１００を使用するために好適な方法は、患者または他者の身体２００を空気支承式支持体デバイス１０１上の１つ以上の表面２１０をまたいで搬送することと、少なくとも部分的に患者の下に位置付けられる支持デバイス１０１の１つ以上の膨張させられた区分１０４、１０６、１１４を収縮させることと、例えば、患者の胴体領域を操作することなく、または患者をその側面に回転させることなく、デバイス１０１の少なくとも第１の区分１０４および第２の区分１０６を側方に分離し、少なくとも部分的にデバイス１０１を患者の下から除去することとを含む。好適な方法は、少なくとも部分的に収縮させることの前、患者２００の下に位置付けられる患者移転デバイスまたは装置１０１の１つ以上の収縮させられた区分１０４、１０６、１４４を膨張させることと、膨張させられたデバイス１０１および患者を１つの表面２１０から別の表面にスライドさせることとも含み得る。
【０１３８】
より一般的に、方法用途は、選択的係合または解放可能継ぎ目１１８に沿って取り付けられる第１および第２の縦方向区分１０４、１０６を有する空気支承式支持体１０１上に身体２００を配置することと、身体２００がその上部表面１３０上に支持される、第１および第２の縦方向区分１０４、１０６と流動連通する入口またはポート１４６を介して、空気支承式支持体１０１を膨張させることとのうちの１つ以上のものを含む。身体２００を１つ以上の表面２１０をまたいで移すことは、少なくとも部分的に上部表面１３０と反対の空気支承式支持体１０１の底部表面１５０上の複数の開口１５２を通して向けられる気流によって支持される身体２００および空気支承式装置１０１を用いて遂行されることができる。
【０１３９】
好適な方法は、例えば、患者２００の身体の頭部領域内の空気支承式支持体１０１の近位端１０８において、縦方向区分１０４、１０６を切り離すことと、空気支承式支持体の近位端１０８から、患者の胴体の下の中間部分１１０を通して患者の下腿または足の下に配置される遠位端１１２もしくは１１３に向かって選択的に係合される継ぎ目１１８に沿って、縦方向区分１０４、１０６を分離することとも含む。縦方向区分１０４、１０６を除去することは、次いで、胴体部分の回転等のさらなる操作なしに患者２００の身体の対向側に対して遂行されることができる。
【０１４０】
方法は、身体２００の頭部領域を空気支承式支持体１０１の近位端１０８上またはそれに隣接して支持することと、例えば、近位１０８および遠位端１１２、１１３間に画定されるような空気支承式支持体１０１の中間領域１１０内に身体の胴体領域２００を支持することとによって実施されることができ、空気支承式支持体１０１は、身体２００を１つ以上の表面２１０をまたいで移すために膨張させられる。空気支承式支持体１０１を身体の胴体領域の下から除去することは、次いで、患者のさらなる操作なしに実施されることができ、例えば、空気支承式支持体１０１は、身体２００を１つ以上の表面２１０をまたいで移すことに続いて収縮させられる。
【０１４１】
追加の方法ステップは、身体２００を空気支承式支持体１０１にストラップで固定することを含み、例えば、身体２００は、身体２００を１つ以上の表面２１０をまたいで移すために、１つ以上の調節可能ストラップ１２２および調節可能結合部１２６を用いて、上部表面１３０に固定される。移転は、介護者または他のオペレータが、空気支承式支持体１０１の周縁の周りに配置される１つ以上のハンドル１４２を引っ張ることによって遂行されることができ、例えば、身体２００は、少なくとも部分的に膨張させられた支持体１０１の内部から底部表面１５０上の複数の開口１２を通して向けられるような気流上に支持された状態で、１つ以上の表面２１０を横断して移される。
【０１４２】
より一般的に、システム１００の「使用」は、患者支持体１０１上での１つの表面から別の表面へ、または２つ以上の搬送手技における異なる表面をまたぐ患者の単回搬送を指し得る。例えば、同一患者支持体１０１は、医療手技のために、患者をベッドまたはストレッチャーから検査台もしくは手術台に移動させ、次いで、手技後、患者を台からベッドまたはストレッチャーに移動させるために使用され得、その時点で、区分１０４、１０６は、分離され、デバイス１０１は、除去されることができる。代替として、支持体１０１は、除去前、例えば、手術台に搬送するために、病院用ベッドからストレッチャーに、次いで、手術台からストレッチャーに戻すように、複数回の移転で使用され得、その時点で、区分１０４、１０６は、除去のために取り外される。
【０１４３】
（実施例）
第１の実施例では、移転システムは、第１および第２の縦方向区分を有する空気支承式支持体と、第１および第２の縦方向区分と流動連通しているポートであって、その上での身体の移転のための空気支承式支持体の膨張のために構成されているポートと、第１および第２の縦方向区分間に延びている選択的結合部であって、空気支承式支持体上での身体の移転のために、第１の縦方向区分と第２の縦方向区分とを一緒に取り付け、その分離および除去のために、少なくとも部分的に第１および第２の縦方向区分を切り離すように構成された選択的結合部とを含み得る。
【０１４４】
第１の実施例の選択的結合部は、空気支承式支持体の近位端から空気支承式支持体の遠位端に向かって縦方向区分間に延びている選択的に解放可能な継ぎ目を備え得、解放可能継ぎ目は、近位端において縦方向区分を切り離し、縦方向区分を近位端から遠位端に向かって分離するように構成される。解放可能継ぎ目は、空気支承式支持体の膨張時の身体の移転のために、縦方向区分の取り付けを維持し、空気支承式支持体の収縮および手動力の適用時、近位端において縦方向区分を切り離すように構成され得る。選択的結合部は、近位端における縦方向区分の切り離し、解放可能継ぎ目に沿った身体の反対側への縦方向区分の分離、および、さらなる実質的な操作なしの身体の下からの空気支承式支持体の除去のために構成され得る。選択的結合部は、別個の独立構成要素としての縦方向区分の分離および除去のために、空気支承式支持体の実質的に完全な縦方向範囲にわたって延び得る。
【０１４５】
第１の実施例の移転システムは、第１および第２の縦方向区分と流動連通する、空気支承式支持体の横方向区分をさらに備え得、選択的結合部は、横方向区分一緒に、一体としての第１および第２の縦方向区分の除去のために、横方向区分の中央部分まで、第１および第２の縦方向区分間に延びている。ポートは、空気支承式支持体の横方向区分内に配置され、それによって、第１および第２の縦方向区分と流動連通するように提供され得る。
【０１４６】
第１の実施例のポートは、外部空気供給源のための入口結合部を備え得、外部空気供給源は、空気支承式支持体の膨張のために構成される。移転システムは、入口結合部に取り付けられた空気ホースをさらに備え得、空気ホースは、移転システムの単回使用用途において、気流を外部空気供給源から空気支承式支持体に向けるために適合される。空気ホースは、気流を向けるために適合された折り畳み可能流動区分を備え得、折り畳み可能流動区分は、空気支承式支持体と組み合わせた実質的に平坦な保管、および、その膨張のための空気支承式支持体からの延長のために構成される。
【０１４７】
第１の実施例の移転システムは、ポートに結合された一体型空気供給源をさらに備え得、一体型空気供給源は、移転システムの単回使用用途において、空気支承式支持体の膨張のために適合される。
【０１４８】
第１の実施例の選択的結合部は、第１および第２の縦方向区分間の選択的結合部をまたいだ空気支承式支持体の実質的に連続した上部表面を画定するように構成される縦方向継ぎ目構造を備え得、身体は、空気支承式支持体の膨張時、実質的に連続した上部表面上に支持される。
【０１４９】
第１の実施例の移転システムは、第１および第２の縦方向区分の一方または両方内に配置された複数のバッフルをさらに備え得、バッフルは、空気支承式支持体の底部表面と上部表面との間に垂直に延び、その膨張時の構造完全性を提供する。バッフルは、縦方向区分をまたいで、またはそれに対して横方向に延び、システムは、空気支承式支持体の膨張時、バッフルをまたいで縦方向気流を可能にするように適合された１つ以上のポートもしくは開口をさらに、備え得る。バッフルは、縦方向区分に沿って、またはそれに対して縦方向に延び、システムは、その膨張のために縦方向区分と流動連通する側方区分をさらに備え得る。
【０１５０】
第１の実施例の選択的結合部は、空気支承式支持体の単回使用移転用途に応じて、第１および第２の縦方向区分の分離および除去のために構成された切り離し可能継ぎ目を備え得、システムは、その後、衛生的廃棄のために構成される。切り離し可能継ぎ目は、第１および第２の縦方向区分間に延びている垂直ウェブを画定し、システムは、切り離し可能継ぎ目に沿って配置され、空気支承式支持体の膨張時、第１および第２の縦方向区分間の横方向気流のために構成された１つ以上のポートもしくは開口をさらに、備え得る。
【０１５１】
第１の実施例の選択的結合部は、第１および第２の縦方向区分間に画定される穿孔された継ぎ目を備え得る。第１および第２の縦方向区分ならびに穿孔された継ぎ目は、同一の実質的に連続する材料から形成される。
【０１５２】
第１の実施例の移転システムは、空気支承式支持体の底部表面上に配置された複数の流動開口をさらに備え得、複数の開口は、空気支承式支持体と、それをまたいで身体の移転が遂行される１つ以上の表面との間の気流のために構成される。
【０１５３】
第１の実施例の移転システムはさらに、空気支承式支持体の第１および第２の縦方向区分を横断して横方向に延びている１つ以上のストラップを備え得、１つ以上のストラップは、移転中、身体を空気支承式支持体に固定するために構成される。
【０１５４】
第１の実施例の移転システムは、空気支承式支持体の周縁に沿って配置される１つ以上のハンドルを備え得、１つ以上のハンドルは、空気支承式支持体を引っ張り、移転を遂行するために構成される。
【０１５５】
第１の実施例の空気支承式支持体は、身体の頭部領域を支持するように構成される近位部分と、身体の胴体領域を支持するように構成される中間部分と、身体の下側領域を支持するように構成される遠位部分とを備え得る。選択的結合部は、縦方向区分を一緒に取り付け、身体の頭部領域および胴体領域をそれぞれ、近位および中間部分内に支持し、その胴体部分を回転することを伴わない身体の下からの空気支承式支持体の除去のために、近位部分内の縦方向区分を切り離し、縦方向区分を近位部分から少なくとも中間部分を通して分離するように構成され得る。
【０１５６】
第２の実施例では、装置は、第１および第２の縦方向区分がそこから延びている横方向区分を有する空気支承式患者支持体と、横方向区分を介して第１および第２の縦方向区分と流動連通しているポートであって、その上部表面上での患者の移転のための空気支承式患者支持体の膨張のために構成されているポートと、空気支承式患者支持体の底部表面上に配置された複数の流動開口であって、移転中、空気支承式患者支持体の内部からの気流のために構成されている流動開口と、空気支承式支持体の近位端から空気支承式支持体の遠位端に向かって第１および第２の縦方向区分間に延びている選択的に係合される継ぎ目であって、空気支承式支持体上の膨張時の患者の移転のために、縦方向区分の取り付けを維持し、空気支承式支持体の収縮時の分離および除去のために、近位端において縦方向区分を選択的に切り離すように構成されている選択的に係合される継ぎ目とを備えている。
【０１５７】
第２の実施例の空気支承式患者支持体の近位端は、患者の頭部領域を支持するように適合され得、選択的に係合される継ぎ目は、患者の頭部領域から患者の少なくとも胴体領域を通した縦方向区分の分離のために構成され得る。
【０１５８】
第２の実施例の選択的に係合される継ぎ目は、胴体領域のさらなる操作なしの患者の反対側への縦方向区分の除去のためにさらに構成され得る。選択的に係合される継ぎ目は、異なる構成要素としての縦方向区分の完全な分離および除去のために、空気支承式患者支持体の十分な長さにわたって、第１および第２の縦方向区分間に延び得る。選択的に係合される継ぎ目は、空気支承式患者支持体の横方向区分まで延び得、横方向区分は、一体としての一緒の除去のために、縦方向区分を接合し得る。
【０１５９】
第２の実施例の選択的に係合される継ぎ目は、第１および第２の縦方向区分間に延びている選択的に係合される継ぎ目をまたいだ空気支承式患者支持体の実質的に連続した上部表面を画定するように適合され得る。第１および第２の縦方向区分は、実質的に連続する材料から形成され得、実質的に連続する材料は、穿孔された継ぎ目を画定し、その間に縦方向に延びている。
【０１６０】
第２の実施例の選択的に係合される継ぎ目は、空気支承式患者支持体の単回使用移転用途に応じて、縦方向区分の分離および除去のために構成され得、装置は、その後、衛生的廃棄のために構成される。
【０１６１】
第２の実施例の装置は、第１および第２の縦方向区分の一方または両方内で横方向に延びている複数のバッフルをさらに備え得、バッフルは、空気支承式患者支持体の底部表面と上部表面との間に垂直に延び、その膨張時の縦方向気流を可能にするように構成される。
【０１６２】
第２の実施例の装置は、患者をそこに固定するために空気支承式患者支持体をまたいで横方向に延びている１つ以上のストラップをさらに備え得る。
【０１６３】
第２の実施例の装置は、空気支承式患者支持体の周縁に沿って配置され、患者を１つの表面から別の表面に引っ張ることによって移転を遂行する１つ以上のハンドルをさらに備え得る。
【０１６４】
第２の実施例の装置は、空気支承式患者支持体の上部表面上に配置される吸収性層部分をさらに備え得、吸収性層は、空気支承式患者支持体を用いた流体の廃棄のために適合される。第２の実施例の装置は、吸収性層部分の周りに配置される、隆起された境界をさらに備え得、隆起された境界は、流体を吸収性層部分に向けるように適合される。
【０１６５】
第２の実施例の空気支承式患者支持体の上部表面は、流体に実質的に不浸透性であり、その上に配置される除去可能吸収性シートをさらに備え得る。
【０１６６】
第２の実施例の装置は、それぞれ、空気支承式患者支持体の上部および底部表面を画定する第１および第２のパネルをさらに備え得、第１および第２のパネルは、第１および第２の縦方向区分を画定するための周辺の付近で接合され、選択的に係合される継ぎ目は、その間に延びている。周辺は、選択的に係合される継ぎ目のための解放特徴を画定し得、解放特徴は、横方向力に応答した周辺における選択的に係合される継ぎ目の分離による第１および第２の縦方向区分の切り離しのために適合される。周辺は、第１および第２のパネル間の溶接された取り付け部を備え得、溶接された取り付け部は、解放特徴を選択的に係合される継ぎ目と周辺の交点に画定する。
【０１６７】
第３の実施例では、方法は、身体を選択的に係合される継ぎ目に沿って取り付けられた第１および第２の縦方向区分を有する空気支承式支持体上に配置することと、第１および第２の縦方向区分と流動連通しているポートを介して空気支承式支持体を膨張させることであって、身体は、その上部表面上に支持されている、ことと、少なくとも部分的に上部表面と反対側の空気支承式支持体の底部表面上の複数の開口を通して向けられる気流によって支持された１つ以上の表面をまたいで身体を移すことと、空気支承式支持体の近位端において縦方向区分を切り離すことと、縦方向区分を選択的に係合される継ぎ目に沿って、空気支承式支持体の近位端から空気支承式支持体の遠位端に向かって分離することと、さらなる操作なしに縦方向区分を身体の反対側に除去することとを含む。
【０１６８】
第３の実施例の方法は、身体の頭部領域を空気支承式支持体の近位端上またはそれに隣接して支持し、身体の胴体領域を近位端と遠位端との間に画定された空気支承式支持体の中間領域において支持することをさらに含み得、空気支承式支持体は、身体を１つ以上の表面をまたいで移すために膨張させられる。方法は、さらなる操作なしに空気支承式支持体を身体の胴体領域の下から除去することをさらに含み得、空気支承式支持体は、身体を１つ以上の表面をまたいで移すことに続いて、収縮させられる。
【０１６９】
第３の実施例の方法は、身体を空気支承式支持体にストラップで固定することをさらに含み得、身体は、１つ以上の表面をまたいで移すための上部表面に固定される。方法は、空気支承式支持体の周縁の周りに配置される１つ以上のハンドルを引っ張ることをさらに含み得、身体は、少なくとも部分的に複数の開口から向けられる気流上に支持された状態で、１つ以上の表面をまたいで移される。
【０１７０】
第３の実施例の方法では、縦方向区分を分離することは、縦方向区分を近位端から空気支承式支持体の遠位端まで分離することをさらに含み、縦方向区分を除去することは、第１および第２の縦方向区分を異なる完全に分離された構成要素として除去することを含み得る。
【０１７１】
第３の実施例の方法の縦方向区分を分離することは、縦方向区分を近位端から空気支承式支持体の側方区分まで分離することを含み得、縦方向区分を除去することは、横方向区分によって一緒に接合された第１および第２の縦方向区分を除去することを含む。
【０１７２】
第３の実施例の方法は、１つ以上の表面をまたいで身体を移すと、空気支承式支持体を収縮させることをさらに含み得る。空気支承式支持体を膨張させること、身体を移すこと、および空気支承式支持体を収縮させることは、縦方向区分を分離し、除去することに先立って、反復的に実施され得る。
【０１７３】
本発明は、例示的実施形態を参照して説明されたが、本発明の精神および範囲から逸脱することなく、種々の変更が、行われることができ、異なる均等物が、その特定の要素に代用され得ることが、当業者によって理解されるであろう。本発明は、したがって、開示される特定の実施例に限定されず、また、添付の請求項によって包含される実施形態の不可欠な範囲から逸脱することなく、異なる問題および状況に適合され、異なる材料ならびに技法が適用されることもできる。
【０１７４】
本発明は、以下の項目をさらに提供する。
（項目１）
移転システムであって、前記移転システムは、
第１および第２の縦方向区分を有する空気支承式支持体と、
前記第１および第２の縦方向区分と流動連通しているポートであって、前記ポートは、前記空気支承式支持体の上での身体の移転のための前記空気支承式支持体の膨張のために構成されている、ポートと、
前記第１および第２の縦方向区分間に延びている選択的結合部と
を備え、
前記選択的結合部は、前記空気支承式支持体上での前記身体の移転のために、前記第１の縦方向区分と第２の縦方向区分とを一緒に取り付け、前記第１の縦方向区分と第２の縦方向区分との分離および除去のために、少なくとも部分的に前記第１の縦方向区分と第２の縦方向区分とを切り離すように構成されている、移転システム。
（項目２）
前記選択的結合部は、前記空気支承式支持体の近位端から前記空気支承式支持体の遠位端に向かって前記縦方向区分間に延びている選択的に解放可能な継ぎ目を備え、前記解放可能継ぎ目は、前記近位端において縦方向区分を切り離し、前記縦方向区分を前記近位端から前記遠位端に向かって分離するように構成されている、項目１に記載の移転システム。
（項目３）
前記解放可能継ぎ目は、前記空気支承式支持体の膨張時の前記身体の移転のために、前記縦方向区分の取り付けを維持し、前記空気支承式支持体の収縮および手動力の適用時、前記近位端において前記縦方向区分を切り離すように構成されている、項目２に記載の移転システム。
（項目４）
前記選択的結合部は、前記近位端における前記縦方向区分の切り離し、前記解放可能継ぎ目に沿った前記身体の反対側への前記縦方向区分の分離、および、さらなる実質的な操作なしの前記身体の下からの前記空気支承式支持体の除去のために構成されている、項目２に記載の移転システム。
（項目５）
前記ポートは、外部空気供給源のための入口結合部を備え、前記外部空気供給源は、前記空気支承式支持体の膨張のために構成され、前記移転システムは、前記入口結合部に取り付けられた空気ホースをさらに備え、前記空気ホースは、前記移転システムの単回使用用途において、気流を前記外部空気供給源から前記空気支承式支持体に向けるために適合されている、項目１に記載の移転システム。
（項目６）
前記空気ホースは、前記気流を向けるために適合された折り畳み可能流動区分を備え、前記折り畳み可能流動区分は、前記空気支承式支持体と組み合わせた実質的に平坦な保管、および、前記空気支承式支持体の膨張のための前記空気支承式支持体からの延長のために構成されている、項目５に記載の移転システム。
（項目７）
前記第１および第２の縦方向区分の一方または両方内に配置された複数のバッフルをさらに備え、前記バッフルは、前記空気支承式支持体の底部表面と上部表面との間に垂直に延び、前記空気支承式支持体の膨張時の構造完全性を提供する、項目１に記載の移転システム。
（項目８）
前記空気支承式支持体の底部表面上に配置された複数の流動開口をさらに備え、前記複数の開口は、前記空気支承式支持体と、１つ以上の表面との間の気流のために構成され、前記身体の移転は、前記１つ以上の表面をまたいで遂行される、項目１に記載の移転システム。
（項目９）
装置であって、前記装置は、
横方向区分を有する空気支承式患者支持体であって、第１および第２の縦方向区分が、前記横方向区分から延びている、空気支承式患者支持体と、
前記横方向区分を介して前記第１および第２の縦方向区分と流動連通しているポートであって、前記ポートは、前記空気支承式患者支持体の上部表面上での患者の移転のための前記空気支承式患者支持体の膨張のために構成されている、ポートと、
前記空気支承式患者支持体の底部表面上に配置された複数の流動開口であって、前記複数の流動開口は、前記移転中の前記空気支承式患者支持体の内部からの気流のために構成されている、複数の流動開口と、
前記空気支承式支持体の近位端から前記空気支承式支持体の遠位端に向かって前記第１および第２の縦方向区分間に延びている選択的に係合される継ぎ目と
を備え、
前記選択的に係合される継ぎ目は、前記空気支承式支持体上の膨張時の前記患者の移転のために、前記縦方向区分の取り付けを維持し、前記空気支承式支持体の収縮時の分離および除去のために、前記近位端において縦方向区分を選択的に切り離すように構成されている、装置。
（項目１０）
前記選択的に係合される継ぎ目は、胴体領域のさらなる操作なしの前記患者の反対側への前記縦方向区分の除去のためにさらに構成されている、項目９に記載の装置。
（項目１１）
前記選択的に係合される継ぎ目は、異なる構成要素としての前記縦方向区分の完全な分離および除去のために、前記空気支承式患者支持体の十分な長さにわたって前記第１および第２の縦方向区分間に延びている項目１０に記載の装置。
（項目１２）
前記選択的に係合される継ぎ目は、前記空気支承式患者支持体の横方向区分まで延び、前記横方向区分は、一体としての一緒の除去のために、前記縦方向区分を接合している、項目１０に記載の装置。
（項目１３）
前記選択的に係合される継ぎ目は、前記第１および第２の縦方向区分間に延びている前記選択的に係合される継ぎ目をまたいだ前記空気支承式患者支持体の実質的に連続した上部表面を画定するように適合されている、項目９に記載の装置。
（項目１４）
前記第１および第２の縦方向区分の一方または両方内で横方向に延びている複数のバッフルをさらに備え、前記バッフルは、前記空気支承式患者支持体の底部表面と上部表面との間に垂直に延び、前記空気支承式患者支持体の膨張時の縦方向気流を可能にするように構成されている、項目９に記載の装置。
（項目１５）
第１および第２のパネルをさらに備え、前記第１および第２のパネルは、それぞれ、前記空気支承式患者支持体の上部および底部表面を画定し、前記第１および第２のパネルは、前記第１および第２の縦方向区分を画定するための周辺の付近で接合され、前記選択的に係合される継ぎ目は、前記第１および第２の縦方向区分間に延びている、項目９に記載の装置。
（項目１６）
前記周辺は、前記選択的に係合される継ぎ目のための解放特徴を画定し、前記解放特徴は、横方向力に応答した前記周辺における前記選択的に係合される継ぎ目の分離による前記第１および第２の縦方向区分の切り離しのために適合されている、項目１５に記載の装置。
（項目１７）
方法であって、前記方法は、
選択的に係合される継ぎ目に沿って取り付けられた第１および第２の縦方向区分を有する空気支承式支持体上に身体を配置することと、
前記第１および第２の縦方向区分と流動連通しているポートを介して前記空気支承式支持体を膨張させることであって、前記身体は、前記空気支承式支持体の上部表面上に支持されている、ことと、
少なくとも部分的に気流によって支持された１つ以上の表面をまたいで前記身体を移すことであって、前記気流は、前記上部表面と反対側の前記空気支承式支持体の底部表面上の複数の開口を通して向けられている、ことと、
前記空気支承式支持体の近位端において前記縦方向区分を切り離すことと、
前記選択的に係合される継ぎ目に沿って、前記縦方向区分を前記空気支承式支持体の近位端から前記空気支承式支持体の遠位端に向かって分離することと、
さらなる操作なしに前記縦方向区分を前記身体の反対側に除去することと
を含む、方法。
（項目１８）
前記身体の頭部領域を前記空気支承式支持体の前記近位端上またはそれに隣接して支持することと、前記身体の胴体領域を前記近位端と遠位端との間に画定された前記空気支承式支持体の中間領域において支持することとをさらに含み、前記空気支承式支持体は、前記身体を前記１つ以上の表面をまたいで移すために膨張させられている、項目１７に記載の方法。
（項目１９）
さらなる操作なしに前記空気支承式支持体を前記身体の前記胴体領域の下から除去することをさらに含み、前記空気支承式支持体は、前記身体を前記１つ以上の表面をまたいで移した後、収縮させられる、項目１８に記載の方法。
（項目２０）
前記縦方向区分を分離することは、前記縦方向区分を前記近位端から前記空気支承式支持体の遠位端まで分離することを含み、前記縦方向区分を除去することは、前記第１および第２の縦方向区分を異なる完全に分離された構成要素として除去することを含む、項目１７に記載の方法。
（項目２１）
前記縦方向区分を分離することは、前記縦方向区分を前記近位端から前記空気支承式支持体の側方区分まで分離することを含み、前記縦方向区分を除去することは、前記横方向区分によって一緒に接合された前記第１および第２の縦方向区分を除去することを含む、項目１７に記載の方法。
（項目２２）
１つ以上の表面をまたいで前記身体を移すと、前記空気支承式支持体を収縮させることをさらに含む、項目１７に記載の方法。
（項目２３）
前記空気支承式支持体を膨張させること、前記身体を移すこと、および前記空気支承式支持体を収縮させることは、前記縦方向区分を分離し、除去することに先立って、反復的に実施される、項目２２に記載の方法。
【図１Ａ】
2020534965.tif 000003
【図１Ｂ】
2020534965.tif 000004
【図２】
2020534965.tif 000005
【図３Ａ】
2020534965.tif 000006
【図３Ｂ】
2020534965.tif 000007
【図４Ａ】
2020534965.tif 000008
【図４Ｂ】
2020534965.tif 000009
【図５Ａ】
2020534965.tif 000010
【図５Ｂ】
2020534965.tif 000011
【図６Ａ】
2020534965.tif 000012
【図６Ｂ】
2020534965.tif 000013
【図６Ｃ】
2020534965.tif 000014
【図７】
2020534965.tif 000015
【図８Ａ】
2020534965.tif 000016
【図８Ｂ】
2020534965.tif 000017
【図９Ａ】
2020534965.tif 000018
【図９Ｂ】
2020534965.tif 000019
【図１０Ａ】
2020534965.tif 000020
【図１０Ｂ】
2020534965.tif 000021
【図１１Ａ】
2020534965.tif 000022
【図１１Ｂ】
2020534965.tif 000023
【図１１Ｃ】
2020534965.tif 000024
【図１２Ａ】
2020534965.tif 000025
【図１２Ｂ】
2020534965.tif 000026
【国際調査報告】
2020534965.tif 000027
2020534965.tif 000028